(57)【特許請求の範囲】
【請求項１】
無線通信システムにおいて情報を送信する方法であって、
システム判定情報を伝える第１の捕捉パイロットを生成し、
セクタＩＤに基づいて第２の捕捉パイロットを生成し、
前記無線通信システム内の端末へ前記第１及び第２の捕捉パイロットを送信すること
を含み、前記第１及び第２の捕捉パイロットは、時分割多重化され、キャリアの中心周波数にあるいは中心周波数の近くに集中させられるサブキャリアのセット上で送信される、方法。
【請求項２】
前記第１の捕捉パイロットはスーパーフレーム・プリアンブル内で伝えられる、請求項１記載の方法。
【請求項３】
前記第２の捕捉パイロットはスーパーフレーム・プリアンブル内で伝えられる、請求項１記載の方法。
【請求項４】
前記第２の捕捉パイロットは、巡回プレフィクス長又は動作の帯域幅、又はその両方に基づいて生成される、請求項１記載の方法。
【請求項５】
巡回プレフィクス長、又は動作の帯域幅、又はその両方に依存するシーケンスを備える第３の捕捉パイロットを生成し、前記第１、第２及び第３の捕捉パイロットはスーパーフレーム・プリアンブル内で伝えられる
ことを更に含む、請求項１記載の方法。
【請求項６】
前記第１の捕捉パイロットは前記第２の捕捉パイロットのコンテンツによってスクランブルされて、セクタを識別する、請求項１記載の方法。
【請求項７】
前記第１及び第２の捕捉パイロットは非連続的なＯＦＤＭシンボルで送信される、請求項１記載の方法。
【請求項８】
前記第１及び第２の捕捉パイロットは連続的なＯＦＤＭシンボルで送信される、請求項１記載の方法。
【請求項９】
前記第１の捕捉パイロットは直交系列のセットのうちの１つを利用して生成される、請求項１記載の方法。
【請求項１０】
前記直交系列のセットは、ウォルシュコードのセットである、請求項９記載の方法。
【請求項１１】
前記第１の捕捉パイロットの中心サブキャリアは、前記第１及び第２の捕捉パイロットのほぼ中心のサブキャリアである、請求項１記載の方法。
【請求項１２】
前記第１の捕捉パイロットは、送信されたデータで用いられる巡回プレフィクス長を示す、請求項１記載の方法。
【請求項１３】
前記第１の捕捉パイロットは、同期動作が利用されるか、非同期動作が利用されるかどうかを示す、請求項１記載の方法。
【請求項１４】
前記第１の捕捉パイロットは、半二重動作が利用されるかどうかを示す、請求項１記載の方法。
【請求項１５】
前記第１の捕捉パイロットは、周波数再使用が利用されるかどうかを示す、請求項１記載の方法。
【請求項１６】
前記スーパーフレーム・プリアンブルに少なくとも３つのＯＦＤＭシンボルがある、請求項２記載の方法。
【請求項１７】
システム判定情報を伝える第１の捕捉パイロットを生成し、セクタＩＤに基づいて第２の捕捉パイロットを生成し、且つ前記第１及び第２の捕捉パイロットをキャリアの中心周波数にあるいは中心周波数の近くに集中させられるサブキャリアのセット上で送信するように構成された少なくとも１つのプロセッサと、なお、前記第１及び第２の捕捉パイロットは、時分割多重化される、
前記少なくとも１つのプロセッサに結合されるメモリと
を備える、無線通信装置。
【請求項１８】
前記第１の捕捉パイロットはスーパーフレーム・プリアンブル内で伝えられる、請求項１７記載の無線通信装置。
【請求項１９】
前記第２の捕捉パイロットはスーパーフレーム・プリアンブル内で伝えられる、請求項１７記載の無線通信装置。
【請求項２０】
前記少なくとも１つのプロセッサは更に、巡回プレフィクス長、又は動作の帯域幅、又はその両方に基づいて前記第２の捕捉パイロットを生成するように構成される、請求項１７記載の無線通信装置。
【請求項２１】
前記少なくとも１つのプロセッサは更に、巡回プレフィクス長、又は動作の帯域幅、又はその両方に依存するシーケンスを備える第３の捕捉パイロットを生成するように構成され、前記第２の捕捉パイロット及び前記第３の捕捉パイロットはスーパーフレーム・プリアンブル内で伝えられる、請求項１７記載の無線通信装置。
【請求項２２】
前記第１の捕捉パイロットは前記第２の捕捉パイロットのコンテンツによってスクランブルされて、セクタを識別する、請求項１７の無線通信装置。
【請求項２３】
前記第１及び第２の捕捉パイロットは非連続的なＯＦＤＭシンボルで送信される、請求項１７記載の無線通信装置。
【請求項２４】
前記第１及び第２の捕捉パイロットは連続的なＯＦＤＭシンボルで送信される、請求項１７記載の無線通信装置。
【請求項２５】
前記第１の捕捉パイロットは直交系列のセットのうちの１つを利用して生成される、請求項１７記載の無線通信装置。
【請求項２６】
前記直交系列のセットはウォルシュコードのセットである、請求項２５記載の無線通信装置。
【請求項２７】
前記第１の捕捉パイロットの中心サブキャリアは、前記第1及び第２の捕捉パイロットのほぼ中心のサブキャリアである、請求項１７記載の無線通信装置。
【請求項２８】
前記第１の捕捉パイロットは、送信されたデータで用いられた巡回プレフィクス長を示す、請求項１７記載の無線通信装置。
【請求項２９】
前記第１の捕捉パイロットは、同期動作が利用されるか、非同期動作が利用されるかどうかを示す、請求項１７記載の無線通信装置。
【請求項３０】
前記第１の捕捉パイロットは半二重動作が利用されるかどうかを示す、請求項１７記載の無線通信装置。
【請求項３１】
前記第１の捕捉パイロットは、周波数再使用が利用されるかどうかを示す、請求項１７記載の無線通信装置。
【請求項３２】
前記スーパーフレーム・プリアンブルに少なくとも３つのＯＦＤＭシンボルがある、請求項１８記載の無線通信装置。
【請求項３３】
情報を通信する無線通信装置であって、
システム判定情報を伝える第１の捕捉パイロットを生成する手段と、
セクタＩＤに基づいて第２の捕捉パイロットを生成する手段と、
無線通信システム内の端末へ前記第１及び第2の捕捉パイロットを送信する手段と
を備え、前記第１及び第２の捕捉パイロットは、時分割多重化され、キャリアの中心周波数にあるいは中心周波数の近くに集中させられるサブキャリアのセット上で送信される、無線通信装置。
【請求項３４】
前記第１の捕捉パイロットはスーパーフレーム・プリアンブル内で伝えられる、請求項３３記載の無線通信装置。
【請求項３５】
巡回プレフィクス長、又は動作の帯域幅、又はその両方に依存するシーケンスを備える第３の捕捉パイロットを生成する手段と
を更に備え、前記第１、第２及び第３の捕捉パイロットはスーパーフレーム・プリアンブル内で伝えられる、請求項３３記載の無線通信装置。
【請求項３６】
前記第１の捕捉パイロットは前記第２の捕捉パイロットのコンテンツによってスクランブルされて、セクタを識別する、請求項３３記載の無線通信装置。
【請求項３７】
前記第１及び第２の捕捉パイロットは非連続的なＯＦＤＭシンボルで送信される、請求項３３記載の無線通信装置。
【請求項３８】
前記第１及び第２の捕捉パイロットは連続的なＯＦＤＭシンボルで送信される、請求項３３記載の無線通信装置。
【請求項３９】
前記第１の捕捉パイロットは直交系列のセットうちの１つを利用して生成される、請求項３３記載の無線通信装置。
【請求項４０】
前記直交系列のセットは、ウォルシュコードのセットである、請求項３９の無線通信装置。
【請求項４１】
前記第１の捕捉パイロットの中心サブキャリアは、前記第１及び第２の捕捉パイロットのほぼ中心のサブキャリアである、請求項３３記載の無線通信装置。
【請求項４２】
前記第１の捕捉パイロットは、送信されたデータで用いられた巡回プレフィクス長を示す、請求項３３記載の無線通信装置。
【請求項４３】
前記第１の捕捉パイロットは、同期動作か非同期動作が利用されるかどうかを示す、請求項３３記載の無線通信装置。
【請求項４４】
前記第１の捕捉パイロットは半二重動作が利用されるかどうかを示す、請求項３３記載の無線通信装置。
【請求項４５】
前記第１の捕捉パイロットは、周波数再使用が利用されるかどうかを示す、請求項３３記載の無線通信装置。
【請求項４６】
スーパーフレーム・プリアンブルに少なくとも３つのＯＦＤＭシンボルがある、請求項３４記載の無線通信装置。
【請求項４７】
少なくとも１台のコンピュータに、システム判定情報を伝える第１の捕捉パイロットを生成させるコードと、
前記少なくとも１台のコンピュータに、セクタＩＤに基づいて第２の捕捉パイロットを生成させるコードと、
前記少なくとも１台のコンピュータに、前記第１及び第２の捕捉パイロットを無線通信システム内の端末へ伝達させるためのコードと
を含み、前記第１及び第２の捕捉パイロットは、時分割多重化され、キャリアの中心周波数にあるいは中心周波数の近くに集中させられるサブキャリアのセット上で送信される、コンピュータ読み取り可能な記憶媒体。
【請求項４８】
システム判定情報を伝える第１の捕捉パイロットを生成し、
セクタＩＤに基づいて第２の捕捉パイロットを生成し、
無線通信システム内の端末へ前記第１及び第２の捕捉パイロットを送信する
ように構成されたプロセッサと、なお、前記第１及び第２の捕捉パイロットは、時分割多重化され、キャリアの中心周波数にあるいは中心周波数の近くに集中させられるサブキャリアのセット上で送信される、
前記プロセッサに結合されるメモリと、
を備える、無線通信装置。
【請求項４９】
無線通信システムにおいて情報を受信する方法であって、
第１の捕捉パイロットを検出し、
前記第１の捕捉パイロットを利用して、システム判定情報を取得し、
第２の捕捉パイロットを検出し、
前記第２の捕捉パイロットを利用して、セクタＩＤを取得する
ことを含み、前記第１及び第２の捕捉パイロットは、時分割多重化され、キャリアの中心周波数にあるいは中心周波数の近くに集中させられるサブキャリアのセット上で送信される、方法。
【請求項５０】
前記第１の捕捉パイロットは、スーパーフレーム・プリアンブル内で伝えられる、請求項４９記載の方法。
【請求項５１】
前記第１の捕捉パイロットはシステム判定情報を含む、請求項４９記載の方法。
【請求項５２】
セクタ仮説を用いて、前記第２の捕捉パイロットを関連させることを更に含む、請求項４９記載の方法。
【請求項５３】
１セットの直交系列のうちの１つを用いて前記第１の捕捉パイロットを関連させることを更に含む請求項４９記載の方法。
【請求項５４】
前記第２の捕捉パイロットから取得される位相オフセット又はＰＮ系列を用いて前記第１の捕捉パイロットを関連させることを更に含む、請求項４９記載の方法。
【請求項５５】
前記第１の捕捉パイロットは、前記第２の捕捉パイロットのコンテンツによってスクランブルされて、セクタを識別する、請求項４９記載の方法。
【請求項５６】
第３の捕捉パイロットを検出することを更に備え、前記第３の捕捉パイロットは、送信されたデータで用いられた巡回プレフィクス長を示す、請求項４９記載の方法。
【請求項５７】
前記第１及び第２の捕捉パイロットは非連続的なＯＦＤＭシンボルで受信される、請求項４９記載の方法。
【請求項５８】
前記第１及び第２の捕捉パイロットは連続的なＯＦＤＭシンボルで受信される、請求項４９記載の方法。
【請求項５９】
前記スーパーフレーム・プリアンブルには少なくとも３つのＯＦＤＭシンボルがある、請求項５０記載の方法。
【請求項６０】
前記第１の捕捉パイロットは、同期動作か非同期動作が利用されるかどうか、又は半二重動作が利用されるかどうか、又は周波数再使用が利用されるかどうか、又はこれらの組み合わせを示す、請求項４９記載の方法。
【請求項６１】
第１の捕捉パイロットを検出し、前記第１の捕捉パイロットを利用して、システム判定情報を取得し、第２の捕捉パイロットを検出し、且つ前記第２の捕捉パイロットを利用して、セクタＩＤを取得するように構成された少なくとも１つのプロセッサと、なお、前記第１及び第２の捕捉パイロットは、時分割多重化され、キャリアの中心周波数にあるいは中心周波数の近くに集中させられるサブキャリアのセット上で送信される、
前記少なくとも１つのプロセッサに結合されるメモリと
を備える、無線通信装置。
【請求項６２】
前記第１の捕捉パイロットはスーパーフレーム・プリアンブル内で伝えられる、請求項６１記載の無線通信装置。
【請求項６３】
前記第１の捕捉パイロットは、システム判定情報を含む、請求項６１記載の無線通信装置。
【請求項６４】
前記少なくとも１つのプロセッサは、セクタ仮説を用いて、前記第２の捕捉パイロットを関連させるように更に構成される、請求項６１記載の無線通信装置。
【請求項６５】
前記少なくとも１つのプロセッサは、１セットの直交系列のうちの１つを用いて前記第１の捕捉パイロットを関連させるように更に構成される、請求項６１記載の無線通信装置。
【請求項６６】
前記少なくとも１つのプロセッサは、前記第２の捕捉パイロットから取得される位相オフセット又はＰＮ系列を用いて前記第１の捕捉パイロットを関連させるように更に構成される、請求項６１記載の無線通信装置。
【請求項６７】
前記第１の捕捉パイロットは、前記第２の捕捉パイロットのコンテンツによってスクランブルされて、セクタを識別する、請求項６１記載の無線通信装置。
【請求項６８】
前記少なくとも１つのプロセッサは、第３の捕捉パイロットを検出するように更に構成され、及び前記第３の捕捉パイロットは、送信されたデータで用いられた巡回プレフィクス長を示す、請求項６１記載の無線通信装置。
【請求項６９】
前記第１及び第２の捕捉パイロットは非連続的なＯＦＤＭシンボルで受信される、請求項６１記載の無線通信装置。
【請求項７０】
前記第１及び第２の捕捉パイロットは連続的なＯＦＤＭシンボルで受信される、請求項６１記載の無線通信装置。
【請求項７１】
前記スーパーフレーム・プリアンブルには少なくとも３つのＯＦＤＭシンボルがある、請求項６２記載の無線通信装置。
【請求項７２】
前記第１の捕捉パイロットは、同期動作か非同期動作が利用されるかどうか、又は半二重動作が利用されるかどうか、又は周波数再使用が利用されるかどうか、又はこれらの組み合わせを示す、請求項６１記載の無線通信装置。
【請求項７３】
情報を受信する無線通信装置であって、
第１の捕捉パイロットを検出する手段と、
前記第１の捕捉パイロットを利用して、システム判定情報を取得する手段と
第２の捕捉パイロットを検出する手段と、
前記第２の捕捉パイロットを利用して、セクタＩＤを取得する手段と
を備え、前記第１及び第２の捕捉パイロットは、時分割多重化され、キャリアの中心周波数にあるいは中心周波数の近くに集中させられるサブキャリアのセット上で送信される、無線通信装置。
【請求項７４】
前記第１の捕捉パイロットはスーパーフレーム・プリアンブル内で伝えられる、請求項７３記載の無線通信装置。
【請求項７５】
前記第１の捕捉パイロットは、システム判定情報を含む、請求項７３記載の無線通信装置。
【請求項７６】
セクタ仮説を用いて、前記第２の捕捉パイロットを関連させる手段を更に備える、請求項７３記載の無線通信装置。
【請求項７７】
１セットの直交系列のうちの１つを用いて前記第１の捕捉パイロットを関連させる手段を更に含む、請求項７３記載の無線通信装置。
【請求項７８】
前記第２の捕捉パイロットから取得される位相オフセット又はＰＮ系列を用いて前記第１の捕捉パイロットを関連させる手段を更に含む、請求項７３記載の無線通信装置。
【請求項７９】
前記第１の捕捉パイロットは、前記第２の捕捉パイロットのコンテンツによってスクランブルされて、セクタを識別する、請求項７３記載の無線通信装置。
【請求項８０】
第３の捕捉パイロットを検出する手段を更に含み、前記第３の捕捉パイロットは、送信されたデータで用いられる巡回プレフィクス長を示す、請求項７３記載の無線通信装置。
【請求項８１】
前記第１及び第２の捕捉パイロットは非連続的なＯＦＤＭシンボルで受信される、請求項７３記載の無線通信装置。
【請求項８２】
前記第１及び第２の捕捉パイロットは連続的なＯＦＤＭシンボルで受信される、請求項７３記載の無線通信装置。
【請求項８３】
前記スーパーフレーム・プリアンブルには少なくとも３つのＯＦＤＭシンボルがある、請求項７４記載の無線通信装置。
【請求項８４】
前記第１の捕捉パイロットは、同期動作か非同期動作が利用されるかどうか、又は半二重動作が利用されるかどうか、又は周波数再使用が利用されるかどうか、又はこれらの組み合わせを示す、請求項７３記載の無線通信装置。
【請求項８５】
少なくとも１台のコンピュータに、第１の捕捉パイロットを検出させるコードと、
前記少なくとも１台のコンピュータに、前記第１の捕捉パイロットからシステム判定情報を取得させるコードと、
前記少なくとも1台のコンピュータに、第２の捕捉パイロットを検出させるコードと、
前記少なくとも1台のコンピュータに、前記第２の捕捉パイロットからセクタＩＤを取得させるコードと
を含み、前記第１及び第２の捕捉パイロットは、時分割多重化され、キャリアの中心周波数にあるいは中心周波数の近くに集中させられるサブキャリアのセット上で送信される、コンピュータ読み取り可能な記憶媒体。
【請求項８６】
システム判定情報を含む第１の捕捉パイロットを検出し、
前記第１の捕捉パイロットに含まれる前記システム判定情報を取得し、
第２の捕捉パイロットを検出し、
前記第２の捕捉パイロットからセクタＩＤを取得する
ように構成されたプロセッサと、なお、前記第１及び第２の捕捉パイロットは、時分割多重化され、キャリアの中心周波数にあるいは中心周波数の近くに集中させられるサブキャリアのセット上で送信される、
前記プロセッサに結合されるメモリと
を備える、無線通信装置。
【発明の詳細な説明】
【相互参照】
【０００１】
本出願は、２００６年１０月２４日に出願され、「ＦＲＡＭＥ  ＳＴＲＵＣＴＵＲＥＳ  ＦＯＲ  ＷＩＲＥＬＥＳＳ  ＣＯＭＭＵＮＩＣＡＴＩＯＮ  ＳＹＳＴＥＭＳ（無線通信システムのためのフレーム構造）」と題された、米国仮特許出願第６０／８６２，６４１号、及び２００６年１０月２４日に出願され、「ＦＲＡＭＥ  ＳＴＲＵＣＴＵＲＥＳ  ＦＯＲ  ＷＩＲＥＬＥＳＳ  ＣＯＭＭＵＮＩＣＡＴＩＯＮ  ＳＹＳＴＥＭＳ（無線通信システムのためのフレーム構造）」と題された、米国仮特許出願第６０／８６２，７４４号の利益を主張する。これらの出願の全体は、参照によって本明細書に組込まれる。
【技術分野】
【０００２】
以下の記載は、一般に無線通信に関し、特に無線通信システムのためのフレーム構造に関する。
【背景技術】
【０００３】
無線通信システムは、世界的に大多数の人々が通信するようになった普及した手段となった。無線通信装置は、消費者ニーズを満たし、且つ可搬性と便宜を改善するために、より小さく、より強力になった。携帯電話といったモバイル装置の処理能力の増加は、無線ネットワーク送信システムへの需要の増加をもたらした。そのようなシステムは、概して、そこで通信するセルラ装置ほど容易には更新されない。モバイル装置の機能が拡張するにつれて、新規且つ改善された無線装置機能を完全に利用することを容易にする方法で、より古い無線ネットワークシステムを維持するのは困難であり得る。
【０００４】
無線通信システムは、一般に異なるアプローチを利用して、チャネルの形で送信リソースを生成する。これらのシステムは、符号分割多重化（ＣＤＭ）システム、周波数分割多重化（ＦＤＭ）システム、及び時分割多重化（ＴＤＭ）システムであってもよい。ＦＤＭの一般に利用される１つの変形は、全体的なシステム帯域幅を複数の直交サブキャリアへ効果的に分割する直交周波数分割多重（ＯＦＤＭ）である。これらのサブキャリアはまた、トーン（tones）、ビン（bins）、及び周波数チャネルとも称され得る。各サブキャリアはデータで変調することができる。時分割ベースの技法を用いて、各サブキャリアは、連続するタイムスライスあるいはタイムスロットの一部を含むことができる。各ユーザは、定義されたバースト期間あるいはフレームで、情報を受信及び送信するために、１つ又は複数のタイムスロット及びサブキャリアの組み合わせを供給され得る。ホッピングスキームは、一般に、シンボルレートのホッピングスキームあるいはブロックホッピングスキームであってよい。
【０００５】
符号分割ベースの技法は、概して、範囲中でいつでも利用可能な多数の周波数でデータを送信する。一般的に、データはデジタル化され、利用可能な帯域幅に拡散されるが、複数のユーザはチャネル上にオーバーレイされることができ、また、それぞれのユーザには一意の系列符号を割り当てることができる。ユーザはスペクトルの同じ広帯域のかたまり（wide-band chunk）で送信することができるが、各ユーザの信号は、そのそれぞれの一意の拡散符号によって全帯域幅に拡散される。この技法は共有を提供することができ、一人又は複数のユーザが同時に送信且つ受信することができる。そのような共有は、スペクトラム拡散デジタル変調によって達成することができるが、ユーザのビットのストリームは偽似ランダムな方法で非常に広いチャネルにわたって符号化され、且つ拡散される。受信機は、コヒーレントな方法で特定のユーザのためのビットを集めるために、関連付けられた一意の系列符号を認識し、且つランダム化（randomization）を元に戻すように設計される。
【０００６】
（例えば、周波数、時間、及び／又は符号分割技法を使用する）典型的な無線通信ネットワークは、カバレッジエリアを提供する１つ又は複数の基地局と、当該カバレッジエリア内でデータを送信及び受信することができる１つ又は複数のモバイル（例えば、無線の）端末とを備える。典型的な基地局は、ブロードキャスト、マルチキャスト、及び／又はユニキャスト・サービス用の複数のデータストリームを同時に送信することができるが、データストリームは、モバイル端末への所定の独立した受信になり得るデータのストリームである。その基地局のカバレッジエリア内のモバイル端末は、基地局から送信される１つ、１つを越える、あるいは全てのデータストリームを受信することに興味を持ち得る。同様に、モバイル端末は基地局あるいは別のモバイル端末へデータを送信することができる。これらのシステムでは、帯域幅及び他のシステムリソースは、スケジューラを利用して割り当てられる。
【０００７】
広帯域の配置の場合、しばしばチャネルは分散的になり、周波数応答が帯域幅にわたって変化する。
【発明の概要】
【０００８】
下記は、開示される実施形態の幾つかの面の基本的な理解を提供するために、簡略化された概要を提示する。この概要は、広範囲な概観でなく、主要なエレメント若しくは重大なエレメントを識別することも、そのような実施形態の範囲を表わすことも意図されない。その目的は、記載される実施形態の幾つかの概念を、後で示される、より詳細な説明の序文として、簡略化された形式で示された提示することである。
【０００９】
１つ又は複数の実施形態及びその対応する開示によれば、様々な面は、改善された捕捉パフォーマンスを提供することができるスーパーフレーム構造の提供に関して記載される。スーパーフレーム構造はまた、プリアンブル構造を判定する柔軟なパラメータの効率的な判定を可能にすることができる。スーパーフレーム構造は更に、帯域幅に対応する迅速なページング容量を容易にすることができる。
【００１０】
ある面は、無線通信システムにおいて情報を送信する方法に関する。該方法は、システム判定情報を伴う第１の捕捉パイロットを生成し、無線通信システム内の端末へ第１の捕捉パイロットを送信することを含む。スーパーフレーム・プリアンブルは第１の捕捉パイロットを備えることができる。第１の捕捉パイロットはスーパーフレーム・プリアンブル内で運ぶことができる。
【００１１】
少なくとも１つのプロセッサとメモリとを備える無線通信装置は、別の面である。少なくとも１つのプロセッサは、システム判定情報を伴う第１の捕捉パイロットを作成し（create）、且つ第１の捕捉パイロットを送信するように構成される。メモリは少なくとも１つのプロセッサに結合される。
【００１２】
別の面は、スーパーフレーム・プリアンブル情報を通信する無線通信装置に関する。無線通信装置は、システム判定情報を伝える第１の捕捉パイロットを作成する手段を備える。更に、該装置には、第１の捕捉パイロットを送信する手段が備えられる。第１の捕捉パイロットはスーパーフレーム・プリアンブル内で伝えることができる。
【００１３】
コンピュータ読み取り可能な媒体を備えるコンピュータプログラムプロダクトは、関連する面である。コンピュータ読み取り可能な媒体は、少なくとも１台のコンピュータに、システム判定情報を伝える第１の捕捉パイロットを作成させるためのコードを備えることができる。コンピュータ読み取り可能な媒体はまた、少なくとも１台のコンピュータに、無線通信システム内の端末へ第１の捕捉パイロットを伝えさせるためのコードを備えることができる。第１の捕捉パイロットはスーパーフレーム・プリアンブル内で伝えることができる。
【００１４】
別の面は、プロセッサを備える無線通信装置に関する。プロセッサは、システム判定情報を伝える第１の捕捉パイロットを生成し、且つ無線通信システム内の端末へ第１の捕捉パイロットを送信するように構成することができる。プロセッサに結合されるメモリも存在する。
【００１５】
関連する面は、無線通信環境において情報を受信する方法である。該方法は、第１の捕捉パイロットを検出し、第１の捕捉パイロットを利用して、システム判定情報を取得することを含む。第１の捕捉パイロットはシステム判定情報を備えることができる。
【００１６】
更なる面は、少なくとも１つのプロセッサと、当該少なくとも１つのプロセッサに結合されたメモリと備える無線通信装置に関する。プロセッサは、第１の捕捉パイロットを検出し、且つ第１の捕捉パイロットを利用して、システム判定情報を取得するように構成することができる。第１の捕捉パイロットはスーパーフレーム・プリアンブル内で伝えることができる。
【００１７】
スーパーフレーム・プリアンブル情報を受信する無線通信装置は、別の関連する面である。該装置は、第１の捕捉パイロットを検出する手段を備えることができる。該装置に更に備えられるのは、第１の捕捉パイロットを利用して、システム判定情報を取得する手段であり得る。
【００１８】
また別の面は、コンピュータ読み取り可能な媒体を備えるコンピュータプログラムプロダクトに関する。コンピュータ読み取り可能な媒体は、少なくとも１台のコンピュータに、第１の捕捉パイロットを発見させるコードを備えることができる。コンピュータ読み取り可能な媒体はまた、少なくとも１台のコンピュータに、第１の捕捉パイロットを分析することによってシステム判定情報を取得させるコードを備えることができる。第１の捕捉パイロットは、同時動作若しくは非同期動作が利用されるかどうか、半二重動作（half-duplex operation）が利用されるかどうか、周波数再使用がスーパーフレームによって利用されるかどうか、又は、これらの組み合わせを示すことができる。
【００１９】
更なる面は、プロセッサを備える無線通信装置に関する。プロセッサは、システム判定情報を含む第１の捕捉パイロットを検出し、且つ第１の捕捉パイロットに含まれるシステム判定を解釈するように構成することができる。メモリはプロセッサに結合することができる。
【００２０】
前述の目的及び関連する目的の達成のために、１つ又は複数の実施形態は、以下に充分に記載され、特許請求の範囲で特に指摘される特徴を備える。以下の記載及び一定の例証的な面が詳細に示された添付の図面は、実施形態の原理が利用され得る種々の方法のうちの幾つかを示す。他の利点及び新規な特徴は、図面と共に考慮された場合に以下の詳細な説明から明白になるだろうし、開示された実施形態は、そのような面及びそれらの均等物を全て備えることを意図される。
【図面の簡単な説明】
【００２１】
【図１】図１は、本明細書に開示されたフレーム構造を利用することができる多元接続無線通信システムを示す。
【図２】図２は、周波数分割複信（ＦＤＤ）多元接続無線通信システム用のスーパーフレーム構造の面を示す。
【図３】図３は、時分割複信（ＴＤＤ）多元接続無線通信システム用のスーパーフレーム構造の面を示す。
【図４】図４は、無線通信環境における通信用の開示されたフレーム構造を利用するシステム例を示す。
【図５】図５は、無線通信環境における通信用の開示されたフレーム構造を受信するためのシステムを示す。
【図６】図６は、無線通信システムにおいて情報を送信する方法を示す。
【図７】図７は、システム判定情報を含む捕捉パイロットを受信する方法を示す。
【図８】図８は、送信機システム及び受信機システムの一実施形態のブロック図を示す。
【図９】図９は、無線通信環境において情報を通信するためのシステムを示す。
【図１０】図１０は、無線通信環境において情報を受信するためのシステムを示す。
【詳細な説明】
【００２２】
ここで図面を参照しつつ、種々の実施形態が記載される。下記の記載では、説明の目的のため、１つ又は複数の面の完全な理解を提供するために、多数の特定の詳細が述べられる。しかしながら、そのような実施形態が、これらの特定の詳細無しに実行され得ることは明白であり得る。他の場合において、周知の構造及び装置は、これらの実施形態について記載することを容易にするためにブロック図で示される。
【００２３】
本願において使用されるように、「コンポーネント」、「モジュール」、「システム」などの用語は、ハードウェア、ファームウェア、ハードウェアとソフトウェアとの組み合わせ、ソフトウェア、あるいは実行中のソフトウェアのいずれか、コンピュータ関連のエンティティを指すことを意図される。例えば、コンポーネントは、プロセッサで実行中の処理、プロセッサ、オブジェクト、実行可能な（executable）、実行中のスレッド、プログラム、及び／又は、コンピュータであり得るが、これらに限定されない。例証として、コンピューティングデバイス上で実行中のアプリケーションと、当該コンピューティングデバイスとの双方がコンポーネントになり得る。１つ又は複数のコンポーネントは、実行中のスレッド及び／又は処理内に存在することができ、また、コンポーネントは、１台のコンピュータにローカル化されても、及び／又は、２台以上のコンピュータ間で分散されてもよい。更に、これらのコンポーネントは、格納された種々のデータ構造を有する様々なコンピュータ読み取り可能な媒体から実行することができる。コンポーネントは、１つ又は複数のデータパケット（例えば、ローカルシステムの、分散されたシステムの、及び／又は、インターネットといったネットワークを越えて他のシステムと信号を手段として、別のコンポーネントとやり取りする１つのコンポーネントからのデータ）有する信号に応じてといった、ローカルな処理及び／又は遠隔処理経由で通信してもよい。
【００２４】
更に、様々な実施形態は無線端末に関連して本明細書に記載される。無線端末はまた、システム、加入者ユニット、加入者局、移動局、モバイル、モバイル装置、遠隔局、遠隔端末、アクセス端末、ユーザ端末、端末、無線通信装置、ユーザエージェント、ユーザ装置、あるいはユーザ機器（ＵＥ）と呼ぶこともできる。無線端末は、携帯電話、コードレス電話、セッション開始プロトコル（ＳＩＰ）電話、ワイヤレス・ローカル・ループ（ＷＬＬ）局、パーソナルデジタルアシスタント（ＰＤＡ）、無線接続機能を有するハンドヘルド装置、コンピューティングデバイス、あるいは、無線モデムに接続された他の処理装置であってもよい。更に、様々な実施形態は基地局に関連して本明細書に記載される。基地局は、無線端末と通信するために利用されてもよく、また、アクセスポイント、ノードＢ、若しくは何らかの他の用語で称されてもよい。
【００２５】
種々の面あるいは特徴は、多数の装置、コンポーネント、モジュールなどを備え得るシステムの観点から提示されるだろう。種々のシステムは、付加的な装置、コンポーネント、モジュールなどを含んでもよく、及び／又は、図面に関連して議論される装置、コンポーネント、モジュールなどの全てを備えなくてもよいことが理解され、且つ認識されるべきである。これらのアプローチの組合せが使用されてもよい。
【００２６】
図１は、本明細書に開示されるフレーム構造を利用することができる多元接続無線通信システム１００を示す。更に詳細には、多元接続無線通信システム１００は、複数のセル、例えば、セル１０２、１０４、及び１０６を備える。図１の実施形態では、各セル１０２、１０４、及び１０６は、複数のセクタを備えるアクセスポイント１０８、１１０、１１２を備え得る。複数のセクタは、各々がセルの一部のアクセス端末との通信を担う、アンテナのグループによって形成される。セル１０２において、アンテナグループ１１４、１１６、及び１１８は、各々異なるセクタに対応する。セル１０４において、アンテナグループ１２０、１２２、及び１２４は、各々異なるセクタに対応する。セル１０６において、アンテナグループ１２６、１２８、及び１３０は、各々異なるセクタに対応する。
【００２７】
各セルは、幾つかのアクセス端末を備えるが、これらは各アクセスポイントの１つ又は複数のセクタと通信中である。例えば、アクセス端末１３２、１３４、１３６、及び１３８は基地局１０８と通信中であり、アクセス端末１４０、１４２、及び１４４はアクセスポイント１１０と通信中であり、また、アクセス端末１４６、１４９、及び１５０はアクセスポイント１１２と通信中である。
【００２８】
例えば、セル１０４に示されるように、各アクセス端末１４０、１４２、及び１４４は、同じセルのアクセス端末とは互いに異なるそれぞれのセルの異なる部分に位置する。更に、各アクセス端末１４０、１４２、及び１４４は、それが通信している対応するアンテナグループからは異なる距離にあり得る。これらの要因は両方とも、セルの環境上の条件及び他の条件にも起因して、各アクセス端末とそれが通信しているその対応するアンテナグループとの間に異なるチャネル条件を存在させる状況を提供する。
【００２９】
コントローラ１５２は、セル１０２、１０４、及び１０６の各々に結合される。コントローラ１５２は、多元接続無線通信システム１００のセルと通信中のアクセス端末へ情報を供給し、またアクセス端末から情報を供給する、回線交換の音声ネットワーク、他のパケットベースのネットワーク、あるいはインターネットといった、複数のネットワークへの１つ又は複数の接続を含むことができる。コントローラ１５２は、アクセス端末からの送信及びアクセス端末への送信をスケジュールするスケジューラを備えるか、あるいはスケジューラに結合される。幾つかの実施形態において、スケジューラは、個々のセルの各々、セルの各セクタ、あるいはこれらの組み合わせ内に存在してもよい。
【００３０】
セクタの各々は、多数のキャリアのうちの１つ又は複数を利用して動作することができる。各キャリアは、システムが作動することができる、より大きな帯域幅の一部であるか、あるいは通信に利用可能である。１つ又は複数のキャリアを利用する単独のセクタは、任意の所与の時間間隔（例えば、フレームあるいはスーパーフレーム）中の異なるキャリアの各々にスケジュールされる複数のアクセス端末を有することができる。更に、１つ又は複数のアクセス端末は、実質的に同時に複数のキャリアにスケジュールすることができる。
【００３１】
アクセス端末は、その能力に従って、１つのキャリア又は１つを超えるキャリアにスケジュールされ得る。これらの能力は、アクセス端末が通信を得ることを試みるときに生成される、若しくは以前に取り決められた、セッション情報の一部であってもよく、アクセス端末によって送信される識別情報の一部であることができ、又は、他のアプローチに従って確立されることができる。一定の面において、セッション情報は、アクセス端末に問い合わせることによって、又は、その送信を通じてその能力を判定することによって生成されるセッション識別トークンを含み得る。
【００３２】
更に、幾つかの面では、捕捉パイロット（acquisition pilots）は、これらはスーパーフレーム・プリアンブルに含まれることができるが、１つのキャリアのみ又は任意の所与のスーパーフレームの１つのキャリアの一部で供給することができる。他の面では、スーパーフレーム・プリアンブルの一部分のみはキャリアよりも小さい帯域幅を有し得るが、スーパーフレーム・プリアンブルの他の部分は、より大きな帯域幅を有する。
【００３３】
本明細書で用いられるように、アクセスポイントは、端末と通信するために使用される固定された局とすることができ、また、基地局、ノードＢ、あるいは何らかの他の用語で称されてもよく、これらの一部あるいは全ての機能性を備え得る。アクセス端末はまた、ユーザ機器（ＵＥ）、無線通信装置、端末、移動局あるいは何らかの他の用語で称されてもよく、また、これらの一部あるいは全ての機能性を備え得る。
【００３４】
図１は、（例えば、異なるセクタ用に異なるアンテナグループを有する）物理的なセクタを示すが、他のアプローチが利用されてもよいことが注目されるべきである。例えば、物理的なセクタに代えて、又は、物理的なセクタと組み合わせて、各々が周波数空間のセルの異なる領域をカバーする複数の固定された「ビーム（beams）」が利用されてもよい。
【００３５】
開示された面を充分に認識するために、多元接続無線通信システム用のスーパーフレーム構造が議論されるだろう。図２は、周波数分割複信（ＦＤＤ）多元接続無線通信システム用のスーパーフレーム構造２００の面を示す。図３は、時分割複信（ＴＤＤ）多元接続無線通信システム用のスーパーフレーム構造３００の側面を示す。一定の面において、スーパーフレーム・プリアンブル、あるいはその一部分は、１つのキャリアあるいは１つ未満のキャリアにわたることができる。更に、幾つかの面において、所与のキャリアの中心のサブキャリアは、スーパーフレーム・プリアンブルの中心のサブキャリア、あるいは実質的に中心のサブキャリアになり得る。
【００３６】
順方向リンク送信は、それらの一部が２０６、２０８、３０６、及び３０８と呼ばれる、一連の物理層フレームが後続するスーパーフレーム・プリアンブル２０４、３０４を備えることができるスーパーフレーム２０２、３０２のユニットに分割される。ＦＤＤシステム２００では、リンク上の送信が如何なる周波数のサブキャリア上でも重複しないように、又は、大部分において重複しないように、逆方向リンク及び順方向リンク送信は、異なる周波数帯域幅を占めることができる。ＴＤＤシステム３００では、Ｎ個の順方向リンクフレーム及びＭ個の逆方向リンクフレームは、反対のタイプのフレームの送信を許可するのに先立って連続的に送信され得る、連続する順方向リンクフレーム及び逆方向リンクフレームの数を定義する。Ｎ及びＭの数は、所与のスーパーフレーム内で、あるいはスーパーフレーム間で変わり得ることが注目されるべきである。
【００３７】
一定の実施形態では、スーパーフレーム・プリアンブル２０４、３０４は、端末が無線通信システムに接続し、無線通信システムを利用するために充分な情報を取得することを容易にすることができる捕捉用のパイロットを備える。プリアンブルは更に、以下の制御チャネルのうちの１つ又は複数を備えることができる：順方向リンク・プライマリ・ブロードキャスト制御チャネル（Ｆ−ＰＢＣＣＨ）、順方向リンク・セカンダリ・ブロードキャスト制御チャネル（Ｆ−ＳＢＣＣＨ）及び順方向クイック・ページング・チャネル（Ｆ−ＱＰＣＨ）。これらの制御チャネルは、順方向リンクの波形の構成情報及び／又はアイドルモードのユーザのためのクイック・ページング情報を伝える。物理層フレームは、データ、及びプリアンブル２０４、３０４によって伝えられるもの以外の制御チャネルを伝えることができる。
【００３８】
また、パイロットチャネルは、アクセス端末によってチャネル評価に使用することができるパイロット、及び／又は、順方向リンクフレームに含まれている情報を復調するためにアクセス端末が利用することができる構成情報を備えるブロードキャストチャネルを備えることができる。タイミング、及び、アクセス端末がキャリアのうちの一つと通信するのに充分な他の情報、及び、基本的な電源制御若しくはオフセット情報といった更なる捕捉情報も、スーパーフレーム・プリアンブル２０４、３０４に含まれ得る。他の場合においては、上記のうちの幾つかのみ及び／又は他の情報が、スーパーフレーム・プリアンブル２０４、３０４に含まれ得る。また、他セクタ干渉及びページング情報は、スーパーフレーム・プリアンブル２０４、３０４で伝えられ（carried）得る。スーパーフレーム・プリアンブル２０４、３０４の構造及びスーパーフレーム・プリアンブル間（例えば、プリアンブル２０４とプリアンブル２１０との間）の期間は、１つ又は複数の柔軟なパラメータに依存する。
【００３９】
システム帯域幅は、高速フーリエ変換（ＦＦＴ）サイズと、１つ又は複数のガードサブキャリアとを備えることができる。ある面において、ページング情報は、配置（deployment）によっては固定された帯域幅の複数のセグメントを占め得る。
【００４０】
プリアンブル構造は、全ての帯域幅割当てについてＦ−ＱＰＣＨにおけるビットと同様の数を含むことができ、また、全ての帯域幅割当てについて同じリンクバジェットを維持し得る。電力制限がされていない配置の場合、ページングキャパシティ（paging capacity）は帯域幅で概算する（scale）ことができる。Ｆ−ＱＰＣＨセグメントの数は、Ｆ−ＰＢＣＣＨの中のビットを介して合図される（be signaled）ことができる。例えば、ページング・チャネルは、特定の帯域幅（例えば、各々５ＭＨｚ）の複数のセグメントを占め得るが、使用可能な帯域幅が少なくとも（５１２＊ｋ−１２８）のサブキャリアである場合、ｋ個のセグメントが許可され得る。従って、ある面では、１０ＭＨｚの配置は２つのＦ−ＱＰＣＨセグメントを有することができ、１５ＭＨｚの配置は３つのＦ−ＱＰＣＨセグメントを有することができる等である。ページング・セグメントの数は、ブロードキャスト・チャネル中のビットを介して、あるいは他の手段を介して合図されることができる。どのセグメントも中心周波数に集中させる必要はない。また、ブロードキャストあるいは他の情報は、推移（transition）が許可される正確な境界を特定するべきである。幾つかの面によれば、Ｆ−ＰＢＣＣＨは各Ｆ−ＱＰＣＨセグメント中で繰り返されることができる。１２８個のガードサブキャリアの選択は、５ＭＨｚにおける３つのキャリアのＤＯ配置（DO deployment）に対応する。
【００４１】
幾つかの面によれば、捕捉パイロット帯域幅（acquisition pilot bandwidth）は５１２のサブキャリアに制限されて、キャリアの中心周波数に、あるいは中心周波数の近くに集中させられる。ある面において、捕捉帯域幅は固定され、変化しない（例えば、プリアンブル・ホッピング無し）。これは、探索者（例えば、端末）が全てのスーパーフレーム中の同じ位置（location）を調べることができるので、探索動作（search operation）を単純化し、捕捉時間を迅速化する利益を供給することができる。更に、幾つかの面において、サブキャリアの観点から、固定された帯域幅及び帯域幅位置（bandwidth location）の、捕捉パイロットは、アクセス端末によってこれらの目的のために使用されることができる、類似した（例えば、ＳＮ比（ＳＮＲ）、信号対干渉雑音比（ＳＩＮＲ）、干渉など）推定、又は正確な搬送波対干渉（Ｃ／Ｉ）を供給するために、ハンドオフ及びアクティブセットの管理（active set management）に使用され得る。
【００４２】
上記の面においては、ホッピング・プリアンブル（hopping preamble）がないことが注目されるべきである。ホッピング・プリアンブル・スキームでは、各セクタによって見られた干渉が、スーパーフレームごとに変わる。５ＭＨｚにおける捕捉のパフォーマンスは高い品質を有するので、ホッピングに起因する如何なる改良もハンドオフ管理及びシステム判定パフォーマンスにおける損失によって打ち消される。従って、上記の面はプリアンブル・ホッピングを利用しない。
【００４３】
別の面では、スーパーフレーム・プリアンブル中のシンボルに使用される巡回プレフィクス、あるいは捕捉パイロットのみが、個々のフレーム中のシンボルに使用される巡回プレフィクスと同じであり得る。一つの面において、アクセス端末は、３つの捕捉パイロットのうちの２番目を復号することによって、又は巡回プレフィクスから、巡回プレフィクスの長さを判定し得る。これは、システムに、所与の配置の１つ又は複数の部分の巡回プレフィクスの長さに幅広い変化を認める。巡回プレフィクスは捕捉パイロット中で伝えられる（carried）ことができ、従って、それを一定の値に制限することは必要ではない。
【００４４】
図２及び図３に示されるように、スーパーフレーム・プリアンブル２０４、３０４の後にはフレームのシーケンスが続く。各フレームは、同じ数の又は異なる数のＯＦＤＭシンボルを備え得るが、これは、何らかの定義された期間にわたって送信のために同時に利用することができる多数のサブキャリアを備えることができる。更に、各フレームは、１つ又は複数の非連続的なＯＦＤＭシンボルが順方向リンク若しくは逆方向リンク上のユーザに割り当てられる、シンボルレートホッピングモードに従って、又は、ユーザがＯＦＤＭシンボルのブロック内でホップする、ブロックホッピングモードに従って、動作し得る。実際のブロックあるいはＯＦＤＭシンボルは、フレーム間でホップしてもよいし、ホップしなくてもよい。
【００４５】
幾つかの面によれば、Ｆ−ＰＢＣＣＨ及びＦ−ＳＢＣＣＨは、最初の５つのＯＦＤＭシンボルで伝えることができる。Ｆ−ＳＢＣＣＨ及びＦ−ＱＰＣＨは互いに交替するが、Ｆ−ＰＢＣＣＨは全てのスーパーフレームで伝えられる。例えば、Ｆ−ＳＢＣＣＨは奇数のスーパーフレームで、また、Ｆ−ＱＰＣＨは偶数のスーパーフレームで伝えられる。従って、Ｆ−ＳＢＣＣＨとＦ−ＱＰＣＨは互い違いになる。Ｆ−ＰＢＣＣＨ、Ｆ−ＳＢＣＣＨ、及びＦ−ＱＰＣＨは、奇数のスーパーフレームと偶数のスーパーフレームとの両方で共通のパイロットを共有する。Ｆ−ＳＢＣＣＨ、及びＦ−ＱＰＣＨは、単独のスーパーフレームに符号化されることができる。Ｆ−ＰＢＣＣＨは、１６個のスーパーフレームにわたって共同で（jointly）符号化される。なぜなら、Ｆ−ＰＢＣＣＨは、静的な配置の広い情報（例えば、セクタからセクタに共通の情報）を伝えるからである。
【００４６】
また、構造は同時方式と非同期方式とで異なることができる。非同期方式では、スーパーフレームさえセクタパイロットＰＮ（PilotPN）を使用してスクランブルされ、同期方式では、それらはパイロットフェーズ（PilotPhase）を使用してスクランブルされる。パイロットＰＮは、ＵＭＢ（Ultra Mobile Broadband）で利用される９ビットのセクタ識別子である。PilotPhaseは、PilotPN+Superframe Index mod ５１２で与えられる（パイロットフェーズは全てのスーパーフレームを変更する）。スーパーフレームさえ、単一周波数ネットワーク（ＳＦＮ）の迅速なページング動作を可能にするためにＳＦＮＩＤを使用してスクランブルされ得る。幾つかの面では、ＳＦＮＩＤはパイロットＰＮと等しくなり得る。ＳＦＮに参加するセクタは同じ波形を送信し、従って、波形を受信する端末には、より高いエネルギーで送信している一つのセクタとして見える。この技法は、１つのセクタによって別のセクタへもたらされた干渉を緩和することができ、端末における増加した受信されるエネルギーという結果になり得る。セクタのグループ（例えば、同じセルのセクタ）間のＳＦＮ動作は、これらのセクタに同じＳＦＮＩＤを割り当てることにより達成することができる。
【００４７】
幾つかの面によれば、Ｆ−ＰＢＣＣＨはスーパーフレーム・プリアンブル中の最初のＯＦＤＭシンボルを占めることができ、Ｆ−ＳＢＣＣＨ／Ｆ−ＱＰＣＨは次の４つのＯＦＤＭシンボルを占めることができる。ＰＢＣＣＨへの帯域幅に相当する１つのＯＦＤＭシンボルを割り当てることは、低い帯域幅（例えば、１．２５ＭＨｚ）の配置でさえ適切な処理利得を促進し得る。付加的な利点は、アイドルモードの端末がこのＯＦＤＭシンボルを自動利得制御（ＡＧＣ）収束（convergence）に使用することができるということであり得る。例えば、これはＦ−ＱＰＣＨパフォーマンスにおける性能劣化を無くす、あるいは、殆ど無くすことができる。これが可能であるのは、Ｆ−ＰＢＣＣＨが、アイドルモードの端末に既に知られている配置特定の情報（deployment-specific information）を伝えるからである。それ故に、端末は、このＯＦＤＭシンボルを復調する必要がなく、その代り、このシンボル期間中の受信されたエネルギーをそれを自動利得制御（ＡＧＣ）によって設定するための参照として利用することができ、このＯＦＤＭシンボルの期間をＡＧＣが収束することを可能にするガードタイムとして利用することができる。
【００４８】
スーパーフレーム・プリアンブル構造は８つのＯＦＤＭシンボルを備えることができ、最初の５つのシンボルは制御チャネルを伝えるために使用することができ、また、最後の３つのシンボルは捕捉パイロットを伝えることができる。スーパーフレーム・プリアンブル中の捕捉パイロットは、時間、周波数、又は時間及び周波数で分けられる３つのパイロット信号を備えることができる。スーパーフレーム・プリアンブルに含まれるパイロット信号に関する更なる情報は、以下で議論されるだろう。
【００４９】
図４は、無線通信環境における通信のための開示されたフレーム構造を利用するシステム例４００を示す。システム４００は、システム判定情報を含むことができるスーパーフレーム・プリアンブルを修正する（modify）ように構成することができる。システム４００は、受信機４０４との無線通信中である送信機４０２を備える。例えば、送信機４０２は基地局とすることができ、受信機４０４は通信装置とすることができる。システム４００は、１つ又は複数の送信機４０２と、１つ又は複数の受信機４０４とを備えることができることが理解されるべきである。しかしながら、簡単のために、１つの受信機のみと１つの送信機のみが示されている。
【００５０】
受信機４０４に情報を伝えるために、送信機４０２は、第１の捕捉パイロットを作成するように構成されることができる第１のパイロット捕捉生成器４０６を備える。幾つかの面によれば、第１の捕捉パイロットはＴＤＭ３と称される。幾つかの面によれば、第１の捕捉パイロットは、システム判定情報を伝えるウォルシュコードで直交される（orthogonalized）。幾つかの面によれば、第１の捕捉パイロットは第２の捕捉パイロットの内容によって更にスクランブルされて、異なるセクタを互いに区別することができる。幾つかの面では、システム４００は、この区別を順方向リンクの他セクタ情報信号（Ｆ−ＯＳＩＣＨ）の時差送信（differential transmission）に使用することができるが、これはまたスーパーフレーム・プリアンブルの一部であってもよく、またＯＳＩＣＨ情報が適用するセクタを判定するために受信機４０４によって使用されてもよい。
【００５１】
第１の捕捉パイロットは９ビットの情報を伝えることができる。ある面において、第１の捕捉パイロットは、セクタ又はアクセスポイントが同時配置又は非同期配置の一部かどうかを示す１ビットを備えることができ、２ビットは巡回プレフィクス期間を示すことができ、１つのビットは半二重動作を可能にするために、また、４ビットは、非同期配置におけるシステム時間の最下位ビット（ＬＳＢ）を示すために利用することができる。これらの４つのビットは、ブロードキャスト送信が始まるスーパーフレームを判定するために、及び／又は、拡張されたチャネル情報（Extended Channel Information）（ＥＣＩ）が伝えられるスーパーフレームを判定するために、利用することができる。ある面において、ＥＣＩは、システム時間の全てのビットと同様に逆方向リンク構成情報を伝える。他の面では、これらの４つのビットは、受信機４０４（例えば、アクセス端末）で行なわれるスクランブリング／ホッピングのようなアルゴリズムのためのシード情報に使用されることもできる。
【００５２】
同期配置の面では、ＬＳＢはＴＤＤ数秘学情報（numerology information）（例えば、順方向リンクと逆方向リンクとの間の分割）を伝えるために使用することができる。更に、４ビットの１つの値はＦＤＤ動作を示すために予約される（reserved）ことができる。幾つかの面では、１ビットはスーパーフレーム・チャネル（例えば、多元接続ポイントの使用あるいは同じ帯域幅のセクタ）上の周波数再使用を示すために使用することができる。別の面では、５ＭＨｚのＦＦＴ設計の場合、１つ又は複数のビットは、使用されるガードキャリアの数を粗く定義してもよい。
【００５３】
第２の捕捉パイロットを作成ように構成することができる第２のパイロット捕捉生成器４０８も、送信機４０２に備えられる。幾つかの面によれば、第２の捕捉パイロットはＴＤＭ２と称することができる。ある面において、第２の捕捉パイロットは、非同期セクタの場合はパイロットＰＮに、及び同時セクタの場合はパイロットフェーズに依存するウォルシュコードで直交化される。ある面において、位相オフセットは、PilotPN＋SuperframeIndex mod５１２として定義されてもよい。パイロットフェーズは同期セクタで使用されて、捕捉パイロットがスーパーフレームごとに変化することを可能にし、それにより、スーパーフレームにわたった処理利得を可能にする。
【００５４】
送信機４０２は、第３の捕捉パイロットを作成するように構成することができる第３のパイロット捕捉生成器４１０も備えることができる。幾つかの面によれば、第３の捕捉パイロットはＴＤＭ１と称され得る。ある面において、第３の捕捉パイロットは、パイロットＰＮからは独立し得る一意な系列を伝える。幾つかの面では、第３の捕捉パイロットによって測られた（spanned）帯域幅はサブキャリアの５ＭＨｚである。幾つかの面では、５ＭＨｚ未満の帯域幅のための第３の捕捉パイロットは、適切な帯域幅を有するために幾つかのガードキャリアをゼロ設定する（zeroing out）ことによって生成することができる。ある面において、第３の捕捉パイロットは、タイミングのために利用することができる。
【００５５】
幾つかの面によれば、第３の捕捉パイロット系列は、セクタＩＤ（sector identity）からは独立することができるが、システム情報の少数のビット（例えば、システムによって利用されるＦＦＴサイズ、及びシステムによって利用される巡回プレフィクス長）には依存するかもしれない。幾つかの面では、１２の異なるシーケンス（およそ４ビットの情報）は、第３の捕捉パイロットを送信するために利用することができる。他の面では、第３の捕捉パイロット系列は一意とすることができる（例えば、この系列を使用して情報ビットが送信されない）。これは、捕捉の複雑さを緩和することができる。なぜなら、第３の捕捉パイロット系列の各々をリアルタイムの方法で関連させることは、捕捉処理における主な複雑さを構成することができるからである。
【００５６】
第３の捕捉パイロットは、幾つかの面によれば、パイロットＰＮからは独立し得る時間／周波数同期パイロットを伝える。４つのＧＣＬ系列は巡回プレフィクス（ＣＰ）期間を特定するために利用することができる。ＧＣＬ系列は、１２８、２５６あるいは５１２個のトーン（tones）のＦＦＴサイズに基づくことができる。５１２個のトーンより大きなＦＦＴサイズ用のパイロット波形は、５１２個のトーン用と同じである。ＧＣＬ系列をＮ番目のサブキャリアごとにマッピングして、時間ドメインにおけるＮ回の反復を提供する（provide for）ことができるが、ここでＮは１よりも大きい。その反復は、周波数修正用、及び／又は、この系列の最初の検出のために利用することができる。
【００５７】
第１、第２、及び第３の捕捉パイロットは、スーパーフレーム・プリアンブル中の連続するＯＦＤＭシンボルである必要がないことが注意されるべきである。しかしながら、幾つかの面によれば、第１、第２、及び第３の捕捉パイロットは、連続するＯＦＤＭシンボルであり得る。捕捉パイロットは、直交系列を含む任意のセットのシーケンスを備えることができるが、直交系列には限定されない。第３の捕捉パイロットＧＣＬ系列は、互いに関して直交ではないことがあり得る。
【００５８】
送信機４０２は、第１の（ＴＤＭ３）、第２の（ＴＤＭ２）、及び第３の（ＴＤＭ１）捕捉パイロットを受信機４０４へ送信するように構成することができるコミュニケータ４１２も備える。幾つかの面によれば、第１、第２、及び／又は第３の捕捉パイロットは、スーパーフレーム・プリアンブル内で伝えることができる。受信機４０４は、この情報を改善された補足パフォーマンスのために利用することができる。
【００５９】
システム４００は、捕捉パイロットを生成し、捕捉パイロットを受信機４０４に送信することに関する命令を実行するための送信機４０２（及び／又は、メモリ４１６）に動作可能に接続されたプロセッサ４１４を備えることができる。捕捉パイロットは、スーパーフレーム・プリアンブル内で伝えることができる。プロセッサ４１４は、スーパーフレーム・プリアンブル中に捕捉パイロットを含むことに関する命令を実行することもできる。プロセッサ４１４は、システム４００の１つ又は複数のコンポーネントを制御するプロセッサとすることができ、及び／又は、送信機４０２によって受信される情報の分析及び生成と、システム４００の１つ又は複数のコンポーネントの制御との両方を行なうプロセッサとすることができる。
【００６０】
メモリ４１６は、プロセッサ４１４によって生成されたスーパーフレーム・プリアンブル及び／又は捕捉パイロットに関連する情報、並びに無線通信ネットワークにおいて情報を通信することに関連する他の適当な情報を格納することができる。メモリ４１６は更に、システム４００が、本明細書に開示された種々の面を実施するための格納されたプロトコル及び／又はアルゴリズムを使用することができるように、送信機４０２と受信機４０４との間の通信を制御するための処置を講ずることに関連付けられたプロトコルを格納することができる。
【００６１】
本明細書に記載されるデータストア（例えば、メモリ）コンポーネントは、揮発性メモリ若しくは不揮発性メモリのいずれかとすることができ、又は、揮発性メモリと不揮発性メモリとの両方を備えることができることが認識されるべきである。限定ではなく例として、不揮発性メモリは、読み出し専用メモリ（ＲＯＭ）、プログラマブルＲＯＭ（ＰＲＯＭ）、電気的にプログラマム可能なＲＯＭ（ＥＰＲＯＭ）、電気的消去可能なＲＯＭ（ＥＥＰＲＯＭ）、あるいはフラッシュメモリを備えることができる。揮発性メモリは、ランダムアクセスメモリ（ＲＡＭ）を備えることができるが、これは外部のキャッシュメモリとして機能する。限定ではなく例として、ＲＡＭは、シンクロナスＲＡＭ（ＤＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトＲａｍｂｕｓＲＡＭ（ＤＲＲＡＭ（登録商標））といった多くの形式で利用可能である。開示された実施形態のメモリ４１６は、これら及び他の適当なタイプのメモリを備えることを意図されるが、これらに限定されない。
【００６２】
図５は、無線通信環境における通信のための開示されたフレーム構造を受信するためのシステム５００を示す。システム５００は、システム判定情報を含むスーパーフレーム・プリアンブルを受信するように構成することができる。システム５００は、１つ又は複数の受信機５０４と無線通信中である１つ又は複数の送信機５０２を備えることができる。
【００６３】
受信機５０４は、第１の捕捉パイロット（ＴＤＭ３）を発見するように構成することができる第１の捕捉パイロット検出器５０６を備えることができる。第１の捕捉パイロットはシステム判定情報を含むことができる。例えば、システム判定情報は、同期動作若しくは非同期動作が利用されるかどうか、半二重の動作が利用されるかどうか、周波数再使用が利用されるかどうか、又はこれらの組合せを示すことができる。第１の捕捉パイロットは、少なくとも３つのＯＦＤＭシンボルを含むスーパーフレーム・プリアンブル内で伝えられることができる。
【００６４】
受信機５０４には、セクタ仮説（sector hypothesis）を利用して第２の捕捉パイロットＴＭＤ２を関連させるように構成することができる比較器５０８も備えられる。比較器５０８は、高速アダマール変換（Fast Hadamard Transform（ＦＨＴ））を使用して、全てのセクタ仮説と関連させることができる。幾つかの面によれば、シンボル反復に起因して、１．２５ＭＨｚのＦＦＴと２．５ＭＨｚのＦＦＴとで異なる時間仮説を利用することができる。
【００６５】
アソシエータ５１０は、第２の捕捉パイロットに含まれる情報を利用して第１の捕捉パイロット（ＴＤＭ３）を関連させるように構成することができる。アソシエータ５１０は、ＴＤＭ２に含まれるＰｉｌｏｔＰｈａｓｅ（例えば、同期）又はＰｉｌｏｔＰＮ（例えば、非同期）を利用してＴＤＭ３を最初にデスクランブルすることができる。ＴＤＭ３上で伝えられた情報は、Ｆ−ＰＢＣＣＨ及びＦ−ＳＢＣＣＨを復調することを容易にすることができるが、これは受信機５０４が順方向リンクデータを復調することを容易にする構成情報を伝えることができる。例えば、各Ｆ−ＰＢＣＣＨは、ＦＦＴサイズ及びガードサブキャリアの数を伝える。Ｆ−ＰＢＣＣＨはまた、受信機５０４がＰｉｌｏｔＰｈａｓｅを同期システム用のＰｉｌｏｔＰＮに変換することを可能にするためにシステム時間の９つのＬＳＢを伝えることができる。
【００６６】
幾つかの面によれば、受信機５０４は１．２５ＭＨｚの帯域幅を超える第３の捕捉パイロット（ＴＤＭ１）を検出するように更に構成することができる。帯域幅は５ＭＨｚ、２．５ＭＨｚあるいは１．２５ＭＨｚのうちの１つであることができるので、サポートされる最小限の帯域幅（１．２５ＭＨｚ）を用いて、ＴＤＭ１を発見することは、帯域外の干渉が検出されないことを提供することができる。幾つかの面によれば、全ての帯域幅についてのＴＤＭ１波形はこの周波数（１．２５ＭＨｚ）スパンにわたって同一に見える。他の面によれば、帯域幅に応じて異なるシーケンスをＴＤＭ１に利用することができる。帯域幅について３つの異なるシーケンス及びＦＦＴサイズについて４つの異なるシーケンスがある幾つかの面では、受信機は１２個の異なるシーケンスと関連することができる。
【００６７】
システム５００は、第１の捕捉パイロットを発見し、第２の捕捉パイロットを第１の捕捉パイロットと関連させて、第２の捕捉パイロットに含まれる情報を用いて第３の補足パイロットを関連させることに関する命令を実行するために受信機５０４（及び／又は、メモリ５１４）に動作可能に接続されるプロセッサ５１２を備えることができる。プロセッサ５１２はまた、システム５００の１つ又は複数のコンポーネントを制御するプロセッサとすることもでき、及び／又は、受信機５０４によって取得された情報の分析と生成との両方を行ない、システム５００の１つ又は複数のコンポーネントを制御するプロセッサとすることもできる。
【００６８】
メモリ５１４は、捕捉パイロットを発見すること、及び／又は、プロセッサ５１２によって生成された捕捉パイロット及び無線通信ネットワークにおいて情報を通信することに関係する他の適切な情報を関連付ける情報を格納することができる。メモリ５１４は更に、システム５００が本明細書に開示された様々な面を実施するために、格納されたプロトコル及び／又はアルゴリズムを使用することができるように、送信機５０２と受信機５０４との間の通信を制御するための処置を講ずることに関連付けられたプロトコルを格納することができる。
【００６９】
上記に記載され、示された例示のシステムを考慮して、開示された主題に従って実施され得る方法論は、図６及び図７のフローチャートを参照すれば、一層よく認識されるだろう。説明の単純さの目的のために、方法論が一連のブロックとして示され、記載されるが、請求項に記載された主題は、幾つかのブロックが本明細書に記載され描写されるものとは異なる順序及び／又は他のブロックと同時に発生し得るように、ブロックの数又は順序によって限定されないことが理解され、認識されるべきである。更に、以下に記載される方法論を実施するために、図示されたブロックの全てが必要とされるとは限らない。ブロックに関連付けられた機能性は、ソフトウェア、ハードウェア、これらの組み合わせ、あるいは他の適切な手段（例えば、デバイス、システム、処理、コンポーネント）によって実施されてもよいことが認識されるべきである。また、本明細書の以下に及び全体にわたって開示された方法論は、そのような方法論を種々のデバイスに移送し転送することを容易にする製品に格納されることができることが更に認識されるべきである。当業者は、例えば状態図におけるように、方法論が代わりに一連の相互関係のある状態若しくは事象として表わされ得ることを理解し、認識するだろう。
【００７０】
ここで図６を参照すると、無線通信システムにおいて情報を送信する方法６００が示されている。送信された情報は、改善された捕捉パフォーマンスを提供することができる捕捉パイロットを含むことができる。捕捉パイロットはまた、プリアンブル構造を判定する柔軟なパラメータの効率的な判定を可能にすることができる。捕捉パイロットは更に、帯域幅に対応する（scale with bandwidth）迅速なページング容量（paging capacity）を促進することができる。
【００７１】
方法６００は、第１の捕捉パイロット信号が生成される６０２において開始する。第１の捕捉パイロットはＴＤＭ３と称することができる。幾つかの面によれば、第１の捕捉パイロットは、システム判定情報を伝える。第１の捕捉パイロットは、送信されたデータで用いられる巡回プレフィクス長、同期動作若しくは非同期動作が利用されるかどうか、半二重動作が利用されるかどうか、周波数再使用が利用されるかどうか、又はこれらの組合せを示すことができる。６０４で、第１の捕捉パイロットは、無線通信環境内の端末へ送信される。
【００７２】
幾つかの面によれば、第２の捕捉パイロット及び／又は第３の捕捉パイロットは作成され、送信されることができる。ある面において、６０６で、（ＴＤＭ２）と称され得る、第２の捕捉パイロット信号が生成される。第２の捕捉パイロット信号は、セクタＩＤに応じたシーケンスを備えることができる。第２の捕捉パイロットは、上記に記載された面のうちの１つ又は複数を利用して生成され得る。第１の捕捉パイロット信号は、第２の捕捉パイロットのコンテンツによってスクランブルされて、異なるセクタを識別することができる。
【００７３】
６０８で、第３の捕捉パイロット信号（時にはＴＤＭ１と称される）が生成される。第３の捕捉パイロットは、巡回プレフィクス及び動作の帯域幅に応じたシーケンスを備えることができる。第３の捕捉パイロットは一意のシーケンスを伝えることができ、上記に開示された面のうちの１つ又は複数を利用して生成されることができる。
【００７４】
６０４で、第１の捕捉パイロット、第２の捕捉パイロット、あるいは第３の捕捉パイロットの任意の組み合わせが送信される。幾つかの面によれば、第１、第２、あるいは第３の捕捉パイロットはスーパーフレーム・プリアンブル内で伝えられる。捕捉パイロット信号は、連続するＯＦＤＭシンボルあるいは連続しないＯＦＤＭシンボルであり得る。
【００７５】
幾つかの面によれば、捕捉パイロット信号の直交系列は異なる。幾つかの面では、直交系列が、ウォルシュコードに基づいて、第２の（ＴＤＭ２）捕捉パイロット信号と、第１の（ＴＤＭ３）捕捉パイロット信号とで異なる。幾つかの面では、３つの捕捉パイロット信号は、任意のセットのシーケンスを備え、直交系列に限定されない。加えてあるいは代わりに、捕捉パイロットの中心サブキャリアは、捕捉パイロットのほぼ中心のサブキャリア（approximately a center subcarrier）である。
【００７６】
図７は、システム判定情報を含む捕捉パイロットを受信する方法７００を示す。７０２で、アクセス端末は、第１の捕捉パイロット（ＴＤＭ３）を検出することを試みる。第１の捕捉パイロットはシステム判定情報を備えることができる。例えば、システム判定情報は、同期動作か非同期動作が利用されるかどうか、半二重動作が利用されるかどうか、周波数再使用が利用されるかどうか、あるいはこれらの組み合わせを示すことができる。第１の捕捉パイロットは、少なくとも３つのＯＦＤＭシンボルを備える、スーパーフレーム・プリアンブル内で伝えることができる。７０４で、第１の捕捉パイロットに含まれた情報が利用されて、システム判定情報が取得される。
【００７７】
幾つかの面によれば、方法７００はまた、異なるセクタ仮説（sector hypotheses）を用いて、７０６で、第２の捕捉パイロットを関連付けること（correlating）を含む。第２の捕捉パイロットはＴＤＭ２と称されることができる。ある面において、アクセス端末は、ＦＨＴを用いて、全てのセクタ仮説と効率的に関連付けることができる。幾つかの面では、ＴＤＭ２は、ＦＦＴサイズあるいは帯域幅の配置の異なるサイズ（例えば１．２５ＭＨｚ及び２．５ＭＨｚ  ＦＦＴ）に対してシンボル反復を備えることにより用いられてもよい。
【００７８】
ＴＤＭ２情報を使用して、アクセス端末はＦＨＴあるいは他のアプローチを用いて、７０８で、ＴＤＭ３（第１の捕捉パイロット）と関連付ける。ある面において、これは、ＴＤＭ２上で用いられる位相スクランブリング（phase scrambling）又はＰＮ系列（PN sequence）を用いてＴＤＭ３をデスクランブルすることによって容易にすることができる。一般に、ＴＤＭ３上で伝えられる情報はブロードキャストチャネル、電源制御チャネル、並びに他のチャネル（例えば、Ｆ−ＰＢＣＣＨ及びＦ−ＳＢＣＣＨ）を復調するために利用される。これらのチャネルは、端末が順方向リンクデータを復調することを可能にする構成情報を伝える（例えば、Ｆ−ＰＢＣＣＨは、現在使用されている、あるいは配置のガードサブキャリアの正確な数及びＦＦＴサイズを伝える）。ある面において、Ｆ−ＰＢＣＣＨはまた、端末がＰｉｌｏｔＰｈａｓｅを同期システム用のＰｉｌｏｔＰＮに変換することを可能にするシステム時間の９つのＬＳＢを伝え得る。
【００７９】
幾つかの面によれば、方法７００は継続し、７１０で、第３の捕捉パイロットが検出される。この第３の捕捉パイロットはＴＤＭ１と称されることができる。検出は帯域幅の一部、あるいは帯域幅の実質的に全てにわたってなされることができる。ある面において、アクセス端末は１．２５ＭＨｚの帯域幅上のＴＤＭ１を探す。幾つかの面では、全ての帯域幅についてのＴＤＭ１波形が、この周波数スパン上で同一に見えることが注目されるべきである。幾つかの面によれば、選択された帯域幅（例えば１．２５ＭＨｚ）は、サポートされる最小の帯域幅となるべく選択されるので、この検出に帯域外干渉が影響を及ぼさないことを確実にする。
【００８０】
図８を参照すると、ＭＩＭＯシステム８００における送信機システム８１０及び受信機システム８５０の実施形態のブロック図が示されている。送信機システム８１０では、多くのデータストリーム用のトラヒックデータがデータソース８１２から送信（ＴＸ）データプロセッサ８１４へ供給される。一実施形態では、各データストリームは、それぞれの送信アンテナで送信される。ＴＸデータプロセッサ８１４は、各データストリームのトラヒックデータを、当該データストリームに対して選択された特定のコード体系に基づいて、フォーマットし、符号化し、またインタリーブして、符号化されたデータを供給する。
【００８１】
各データストリームの符号化されたデータは、ＯＦＤＭ技法を用いて、パイロットデータで多重化され得る。パイロットデータは、通常、公知の方法で処理される公知のデータパターンであり、チャネル応答を推定するために受信機システムで用いられてもよい。各データストリームの多重化されたパイロットデータ及び符号化されたデータは、次いで、当該データストリームに対して選択された特定の変調スキーム（例えば、ＢＰＳＫ、ＱＳＰＫ、Ｍ−ＰＳＫ、あるいはＭＱＡＭ）に基づいて変調されて（即ち、シンボルマッピングされて）、変調シンボルが供給される。各データストリームのデータレート、符号化、及び変調は、プロセッサ８３０によって供給される命令によって判定され、行なわれ得る。
【００８２】
全てのデータストリーム用の変調シンボルは、次いで、ＴＸプロセッサ８２０に供給されるが、これは更に（例えば、ＯＦＤＭ用に）変調シンボルを処理してもよい。次いで、ＴＸプロセッサ８２０は、ＮＴ個の変調シンボルストリームをＮＴ個の送信機（ＴＭＴＲ）８２２ａ乃至８２２ｔに供給する。各送信機８２２は、それぞれのシンボルストリームを受信し、処理して、１つ又は複数のアナログ信号を供給し、また更に当該アナログ信号を調整し（例えば、増幅し、フィルタリングし、及びアップコンバートし）て、ＭＩＭＯチャネル上での送信に適当な変調された信号を供給する。送信機８２２ａ乃至８２２ｔからのＮＴ個の変調された信号は、次いで、それぞれＮＴ個のアンテナ８２４ａ乃至８２４ｔから送信される。
【００８３】
受信機システム８５０では、送信された変調された信号は、ＮＲ個のアンテナ８５２ａ乃至８５２ｒによって受信され、また、各アンテナ８５２からの受信された信号は、それぞれの受信機（ＲＣＶＲ）８５４に供給される。各受信機８５４は、それぞれの受信された信号を調整し（例えば、フィルタリングし、増幅し、またダウンコンバートし）、調整された信号をデジタル化して、サンプルを供給し、またサンプルを更に処理して、対応する「受信された」シンボルストリームを供給する。
【００８４】
ＲＸデータプロセッサ８６０は次いで、ＮＲ個の受信機８５４からのＮＲ個の受信されたシンボルストリームを受信し、特定の受信機処理技法に基づいて処理し、ＮＴ個の「検出された」シンボルストリームを供給する。ＲＸデータプロセッサ８６０による処理は、以下に更に詳細に記載される。各検出されたシンボルストリームは、対応するデータストリームのために送信された変調シンボルの推定（estimates）であるシンボルを備える。ＲＸデータプロセッサ８６０は、次いで、各検出されたシンボルストリームを復調し、デインタリーブし、また復号して、データストリーム用のトラヒックデータを回復する（recover）。ＲＸデータプロセッサ８６０による処理は、送信機システム８１０におけるＴＸデータプロセッサ８１４及びＴＸプロセッサ８２０によって行なわれた処理に対して補完的である。
【００８５】
ＲＸプロセッサ８６０によって生成されたチャネル応答推定は、受信機での空間、空間／時間処理を行なうために、電力レベルを調節するために、変調レート若しくは変調スキームを変更するために、又は他の動作を行なうために用いられ得る。ＲＸプロセッサ８６０は更に、検出されたシンボルストリームの信号対雑音及び干渉比（ＳＮＲ）及びことによると他のチャネル特性を推定し、これらの量をプロセッサ８７０に供給する。ＲＸデータプロセッサ８６０あるいはプロセッサ８７０は更に、システムの「動作用の（operating）」ＳＮＲの推定値を得てもよい。プロセッサ８７０は次いで、チャネル状態情報（channel state information）（ＣＳＩ）を供給するが、これは通信リンク及び／又は受信されるデータストリームに関する種々のタイプの情報を含み得る。例えば、ＣＳＩは動作用のＳＮＲのみを含んでもよい。ＣＳＩは次いで、ＴＸデータプロセッサ８７８によって処理され、変調器８８０によって変調され、送信機８５４ａ乃至８５４ｒによって調整され、送信機システム８１０に送信される。
【００８６】
送信機システム８１０では、受信機システム８５０からの変調された信号は、アンテナ８２４によって受信され、受信機８２２によって調整され、復調器８４０によって復調され、受信機システムによって報告されたＣＳＩを回復するためにＲＸデータプロセッサ８４２によって処理される。報告されたＣＳＩは次いで、プロセッサ８３０に供給され、（１）データストリームに使用されるべき符号化スキーム及び変調スキーム並びにデータレートを判定し、（２）ＴＸデータプロセッサ８１４及びＴＸプロセッサ８２０のための種々の制御を生成するために用いられる。あるいは、ＣＳＩはプロセッサ８３０によって利用されて、他の情報に加えて、送信用の符号化レート及び／又は変調スキームを判定してもよい。これは、次いで、この情報を用いる送信機に供給され得るが、これは量子化されて、受信機への後の送信を供給してもよい。
【００８７】
プロセッサ８３０及び８７０は、それぞれ送信機システム及び受信機システムにおける動作を指示する。メモリ８３２及び８７２は、それぞれプロセッサ８３０及び８７０によって用いられるデータ及びプログラムコード用の記憶装置（storage）を供給する。二重データ通信の場合、受信機システム８５０および送信機システム８１０の役割は、互換性がありうる。この場合、逆方向におけるデータトラフィックは、データソース８３６から提供され、上で説明された方法と同様の方法で送信機システム８１０へ送信され、送信機システム８１０において復号され、および記憶するためにデータシンク８４４へ提供される。
受信機では、ＮＲ個の受信される信号を処理するために種々の処理技法が用いられて、ＮＴ個の送信されたシンボルストリームを検出し得る。これらの受信機処理技法は、２つ主要なカテゴリー、（１）空間的な及び時空受信機処理技法（これはまた、等化技法とも称される）、及び（２）「連続的なヌル化（nulling）／等化及び干渉除去」の受信機処理技法（これはまた、「連続的な干渉除去」あるいは「連続的な削除（cancellation）」の受信機処理技法とも称される）にグループ化され得る。
【００８８】
本明細書で用いられるように、ブロードキャスト及びマルチキャストという用語は、同じ送信に適用されてもよい。つまり、ブロードキャストは、セクタ又はアクセスポイントの全ての端末へ送信される必要はない。
【００８９】
本明細書に記載される送信技法は種々の手段によって実施され得る。例えば、これらの技法はハードウェア、ファームウェア、ソフトウェア、あるいはこれらの組み合わせで実施されてもよい。ハードウェアでの実施の場合、送信機の処理ユニットは１つ又は複数の特定用途向け集積回路（ＡＳＩＣ）、デジタル信号プロセッサ（ＤＳＰ）、デジタル信号処理装置（ＤＳＰＤ）、プログラム可能な論理デバイス（ＰＬＤ）、フィールドプログラマブルゲートアレイ（ＦＰＧＡ）、プロセッサ、コントローラ、マイクロコントローラ、マイクロプロセッサ、電子装置、本明細書に記載された機能を行なうように設計された他の電子ユニット、あるいはこれらの組み合わせの内部において実施されてもよい。受信機の処理ユニットはまた、１つ又は複数のＡＳＩＣ、ＤＳＰ、プロセッサなどの内部で実施され得る。
【００９０】
ソフトウェアでの実施の場合、送信技法は、本明細書に記載された機能を行なうために利用され得る命令（例えば、プロシージャ、関数など）で実装されてもよい。命令は、メモリ（例えば、図８のメモリ８３２若しくは８７２）又は他のコンピュータプログラムプロダクトに格納され、プロセッサ（例えば、プロセッサ８３０若しくは８７０）によって実行されてもよい。メモリは、プロセッサの内部に実装されても、あるいはプロセッサの外部に実装されてもよい。
【００９１】
本明細書のチャネルの概念は、アクセスポイント又はアクセス端末によって送信され得る送信タイプ又は情報タイプを指すことが注目されるべきである。それは、一定の若しくは所定のブロックのサブキャリア、期間、又はそのような送信専用の他のリソースを必要とせず、あるいは利用しない。
【００９２】
図９は、無線通信環境において情報を通信するためのシステム９００を示す。システム９００は、基地局内に少なくとも部分的に存在してもよい。システム９００は、機能ブロックを備えるものとして表わされているが、これらはプロセッサ、ソフトウェア、又はこれらの組合せ（例えば、ファームウェア）によって実施される機能を表わす機能ブロックであってもよいことが認識されるべきである。
【００９３】
システム９００は、単独であるいは関連して動作することができる電子部品の論理的なグループ（logical grouping）９０２を備える。論理的なグループ化９０２は、第１の捕捉パイロット９０４を生成するための電子部品を備えることができるが、これはＴＤＭ３と称されることもできる。第１の捕捉パイロットは、システム判定情報を含むことができる。第２の捕捉パイロットは、送信されたデータで使用された巡回プレフィクス長、同期動作若しくは非同期動作が利用されるかどうか、半二重動作が利用されるかどうか、周波数再使用がスーパーフレームによって利用されるかどうか、又はこれらの組合せを示すことができる。
【００９４】
論理的なグループ９０２には更に、第１の捕捉パイロット９０６を送信するための電子部品が備えられる。幾つかの面によれば、第１の捕捉パイロットはスーパーフレーム・プリアンブル内で伝えることができる。
【００９５】
幾つかの面によれば、論理的グループ９０２には、第２の捕捉パイロット９０８を生成するための電子部品が備えられる。第２の捕捉パイロットは、時にはＴＤＭ２と称される。第２の捕捉パイロットは、セクタＩＤ（sector identity）に依存するシーケンスを備えることができる。第２の捕捉パイロットはスーパーフレーム・プリアンブル内で運ぶことができる。
【００９６】
他の面において、論理的なグループ９０２はまた、第３の捕捉パイロット９１０を作成するための電子部品を備える。この第３の捕捉パイロットもＴＤＭ１と称されることができる。第３の捕捉パイロットは、巡回プレフィクス及び動作の帯域幅に依存するシーケンスを備えることができる。幾つかの面によれば、第３の捕捉パイロットはスーパーフレーム・プリアンブル内で運ぶことができる。
【００９７】
あるいは又は加えて、電子部品９０６は、スーパーフレーム・プリアンブル中の第１、第２、及び第３の捕捉パイロットのうちの１つ又は複数を備えることができるが、これは電子部品９０６によって送信される。第１、第２、及び３番目の捕捉パイロットは、任意のセットのシーケンスを備えることができる。幾つかの面によれば、直交系列が利用される場合、直交系列は、第１の（ＴＤＭ３）捕捉パイロットと第２の（ＴＤＭ２）捕捉パイロットについてウォルシュコードに基づいて異なる。第３の捕捉パイロットのＧＣＬシーケンスは互いに関して直交ではない。第１の捕捉パイロットは第２の捕捉パイロットのコンテンツによってスクランブルすることができる。更に、捕捉パイロットの中心サブキャリアは、捕捉パイロットのほぼ中心のサブキャリアである。
【００９８】
第１、第２、及び第３の直交系列は、非連続的なＯＦＤＭシンボル、連続的なＯＦＤＭシンボル、あるいはこれらの組み合わせとすることができる。幾つかの面では、スーパーフレーム・プリアンブル中には少なくとも３つのＯＦＤＭシンボルがある。
【００９９】
また、システム９００は、電子部品９０４、９０６、９０８、及び９１０又は他のコンポーネントに関連付けられた機能を実行するための命令を保持するメモリ９１４を備えることができる。メモリ９１４の外側にあるものとして示されているが、電子部品９０４、９０６、９０８、及び９１０のうちの１つ又は複数は、メモリ９１４の内部に存在してもよいことが理解されるべきである。
【０１００】
図１０は、無線通信環境において情報を受信するためのシステム１０００を示す。システム１０００は、端末内に少なくとも部分的に存在することができる。システム１０００は、機能ブロックを備えるものとして表わされており、これらはプロセッサ、ソフトウェア、あるいはこれらの組合せ（例えば、ファームウェア）によって実施される機能を表わす機能ブロックであり得ることが認識されるべきである。
【０１０１】
システム１０００は、別個に又は関連して動作することができる電子部品の論理的なグループ１００２を備える。論理的なグループ１００２は、第１の捕捉パイロットを検出するための電子部品１００４を備えることができる。第１の捕捉パイロットは、スーパーフレーム・プリアンブル内で伝えられることができ、また、ＴＤＭ３と称されることができる。スーパーフレーム・プリアンブルには少なくとも３つのＯＦＤＭシンボルがあり得る。論理的なグループ１００２はまた、第１の捕捉パイロットを用いて、システム判定情報を取得する電子部品１００６を備えることができる。第１の捕捉パイロットは、同期動作若しくは非同期動作が利用されるかどうか、半二重動作が利用されるかどうか、周波数再使用が利用されるかどうか、又はこれらの組み合わせを示すことができる。
【０１０２】
加えて又はあるいは、論理的なグループ１００２は、セクタ仮説を用いて、第２の捕捉パイロットを関連させるための電子部品１００８を備えることができる。第２の捕捉パイロットはＴＤＭ２と称されることができる。論理的なグループ１００２にはまた、第１の捕捉パイロットを関連させるための電子部品１０１０を備えることができる。第１の捕捉パイロット（ＴＤＭ３）は、第２の捕捉パイロット（ＴＤＭ２）に含まれる情報を利用して関連させることができる。第１の捕捉パイロットを関連させることは、ＦＨＴを用いて関連させることを含むことができる。幾つかの面によれば、第１の捕捉パイロットを関連させることは、第２の捕捉パイロットから取得される位相オフセット又はＰＮ系列を用いて関連させることを含む。
【０１０３】
幾つかの面によれば、論理的なグループ１００２はまた、第３の捕捉パイロットを検出するための電子部品を備えることができるが、これはＴＤＭ１と称されることができる。第３の捕捉パイロットは、送信されたデータ中で用いられる巡回プレフィクス長を示すことができる。幾つかの面において、第１の捕捉パイロットは第２の捕捉パイロットのコンテンツによってスクランブルされて、セクタを識別する。第１、第２、及び第３のシーケンスは、非連続的なＯＦＤＭシンボル若しくは連続的なＯＦＤＭシンボル、又はこれらの組み合わせであり得る。
【０１０４】
また、システム１０００は、電子部品１００４、１００６、１００８及び１０１０又は他のコンポーネントに関連付けられた機能を実行するための命令を保持するメモリ１０１２を備えることができる。メモリ１０１２の外部にあるものとして示されているが、電子部品１００４、１００６、１００８及び１０１０のうちの１つ又は複数は、メモリ１０１２の内部に存在してもよいことが理解されるべきである。
【０１０５】
開示された処理のステップの階層又は特定の順序は、例示的なアプローチの例であることが理解される。設計嗜好に基づいて処理のステップの階層又は特定の順序は、本開示の範囲内に残りつつも、並べ替えられてもよいことが理解される。添付の方法の請求項は、種々のステップの要素を見本の順序で提示するものであって、提示された階層又は特定の順序に限定されることを意図されたものではない。
【０１０６】
当業者は、情報及び信号が様々な異なる技術及び技法のうちの任意のものを用いて表され得ることを理解するだろう。例えば、上記の記載の全体にわたって参照され得るデータ、命令、コマンド、情報、信号、ビット、シンボル、及びチップは、電圧、電流、電磁波、磁界若しくは磁性粒子、光学場若しくは光学粒子、又はこれらの任意の組み合わせによって表わされてもよい。
【０１０７】
当業者は更に、本明細書に開示された実施形態に関連して記載される、種々の例証となる論理ブロック、モジュール、回路、及びアルゴリズムのステップが、電子ハードウェア、コンピュータソフトウェア、又は両者の組み合わせによって実施され得ることを認識するだろう。ハードウェアとソフトウェアのこの互換性を明白に例証するために、種々の実例となるコンポーネント、ブロック、モジュール、回路、及びステップは、一般にそれらの機能性の観点から上記に記載されている。そのような機能性がハードウェアとして実施されるかソフトウェアとして実施されるかは、システム全体に課される設計制約及び特定の適用例に依存する。熟練した職人は、記載された機能性を特定の適用ごとに様々な方法で実施し得るが、そのような実施上の決定は、本開示の範囲からの逸脱を引き起こすものとして解釈されるべきではない。
【０１０８】
本明細書に開示された実施形態に関して記載された種々の例証となる論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラム可能な論理デバイス、ディスクリートゲート若しくはトランジスタロジック、ディスクリートハードウェアコンポーネント、又は、本明細書に記載される機能を行なうように設計された、これらの任意の組み合わせで実施されてもよいし、行なわれてもよい。汎用プロセッサは、マイクロプロセッサであってもよいが、代案では、プロセッサは任意の従来のプロセッサ、コントローラ、マイクロコントローラ、又は状態機械であってもよい。プロセッサはまた、例えば、ＤＳＰとマイクロプロセッサとの組み合わせ、複数のマイクロプロセッサ、ＤＳＰコアと協働する１つ又は複数のマイクロプロセッサ、又は任意の他のそのような構成といった、コンピューティングデバイスの組み合わせとして実装されてもよい。
【０１０９】
本明細書に開示された実施形態に関連して記載されたアルゴリズム又は方法のステップは、直接ハードウェアで、プロセッサによって実行されるソフトウェアモジュールで、又は、この２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は、当技術分野で公知の任意の他の形式の記憶媒体に存在してもよい。例示の記憶媒体は、プロセッサが記憶媒体から情報を読み出すことができ、且つ、プロセッサが記憶媒体に情報を書き込むことができるように、プロセッサに結合される。代案では、記憶媒体はプロセッサと一体であってもよい。プロセッサと記憶媒体は、ＡＳＩＣに存在してもよい。ＡＳＩＣはユーザ端末に存在してもよい。代案では、プロセッサと記憶媒体は、ユーザ端末内の別個のコンポーネントとして存在してもよい。
【０１１０】
開示された実施形態の先行する記載は、如何なる当業者も本開示を作成又は使用することを可能にすべく提供されている。これらの実施形態への種々の変更は当業者には容易に明白になるだろうし、本明細書に定義された一般的な原理は、本開示の範囲又は精神から逸脱することなく他の実施形態に適用され得る。従って、本開示は、本明細書に示された実施形態に限定されることは意図されていないが、本明細書に開示された新規な特徴及び原理と一致する最も広い範囲に合致すべきものである。
【０１１１】
ソフトウェアでの実施の場合、本明細書に記載された技法は、本明細書に記載された機能を行なうモジュール（例えば、プロシージャ、関数など）で実施されてもよい。ソフトウェアコードはメモリユニットに格納され、プロセッサによって実行されてもよい。メモリユニットはプロセッサ内に実装されても、プロセッサの外部に実装されてもよいが、その場合、当技術分野で公知であるように、メモリユニットは様々な手段によってプロセッサに通信可能に結合されることができる。
【０１１２】
更に、本明細書に記載された種々の面又は特徴は、標準的なプログラミング及び／又はエンジニアリング技法を用いる製品、装置、又は方法として実施されてもよい。本明細書で用いられる「製品」という用語は、任意のコンピュータ読み取り可能な装置、キャリア、又は媒体からアクセス可能なコンピュータプログラムを包含するように意図される。例えば、コンピュータ読み取り可能な媒体は、磁気記憶装置（例えば、ハードディスク、フロッピー（登録商標）ディスク、磁気ストリップ等）、光ディスク（例えば、コンパクトディスク（ＣＤ）、デジタルバーサタイルディスク（ＤＶＤ）等）、スマートカード、及びフラッシュメモリ装置（例えば、ＥＰＲＯＭ、カード、スティック、キードライブ等）を含むことができるが、これらに限定されない。また、本明細書に記載される種々の記憶媒体は、１つ又は複数のデバイス及び／又は情報を格納するための他の機械読み取り可能な媒体を表わすことができる。「機械読み取り可能な媒体」という用語は、命令及び／又はデータを伝え、含み、及び／又は格納することができる種々の他の媒体及びは無線チャネルを備えることができるが、これらに限定されない。
【０１１３】
上記に記載されたものは、１つ又は複数の実施形態の例を含んでいる。勿論、前述の実施形態を記載する目的のために方法論又はコンポーネントのあらゆる考えられる組合せを記載することは不可能ではないが、当業者は、様々な実施形態の多くの更なる組合せ及び置換が可能であることを認識し得る。従って、記載された実施形態は、添付の特許請求の範囲内に含まれる、そのような変更、変形及びバリエーションを全て包含するように意図される。「含む（includes）」という用語が、詳細な説明又は特許請求の範囲のいずれかにおいて用いられる範囲で、そのような用語は、「備える（comprising）」が請求項において移行語として採用される場合に解釈されるように、「備える」という用語と同様の方法で包括的であるように意図される。更に、詳細な説明又は特許請求の範囲のいずれかにおいて用いられるような「又は（or）」という用語は、「非排他的な又は（non-exclusive or）」であることを意図される。
【０１１４】
以下に本件出願当初の特許請求の範囲に記載された発明を付記する。
［Ｃ１］
無線通信システムにおいて情報を送信する方法であって、
システム判定情報を伝える第１の捕捉パイロットを生成し、
前記無線通信システム内の端末へ前記第１の捕捉パイロットを送信すること
を含む、方法。
［Ｃ２］
第１の捕捉パイロットはスーパーフレーム・プリアンブル内で伝えられる、［Ｃ１］記載の方法。
［Ｃ３］
セクタＩＤに依存するシーケンスを備える第２の捕捉パイロットを生成し、前記第２の捕捉パイロットはスーパーフレーム・プリアンブル内で伝えられる
ことを更に含む、［Ｃ１］記載の方法。
［Ｃ４］
巡回プレフィクス及び動作の帯域幅に依存するシーケンスを備える第２の捕捉パイロットを生成し、前記第２の捕捉パイロットはスーパーフレーム・プリアンブル内で伝えられる
ことを更に含む、［Ｃ１］記載の方法。
［Ｃ５］
セクタＩＤに依存するシーケンスを備える第２の捕捉パイロットを生成し、
巡回プレフィクス及び動作の帯域幅に依存するシーケンスを備える第３の捕捉パイロットを生成し、前記第１、第２及び第３の捕捉パイロットはスーパーフレーム・プリアンブル内で伝えられる
ことを更に含む、［Ｃ１］記載の方法。
［Ｃ６］
前記第３の捕捉パイロットは前記第２の捕捉パイロットのコンテンツによってスクランブルされて、セクタを識別する、［Ｃ５］記載の方法。
［Ｃ７］
前記第１、第２、及び第３のシーケンスは非連続的なＯＦＤＭシンボルである、［Ｃ５］記載の方法。
［Ｃ８］
前記第１、第２、及び第３のシーケンスは連続的なＯＦＤＭシンボルである、［Ｃ５］記載の方法。
［Ｃ９］
前記第１の捕捉パイロットは直交系列のセットのうちの１つを利用して生成される、［Ｃ１］記載の方法。
［Ｃ１０］
前記直交系列のセットは、ウォルシュコードのセットである、［Ｃ９］記載の方法。
［Ｃ１１］
前記捕捉パイロットの中心サブキャリアは、前記捕捉パイロットのほぼ中心のサブキャリアである、［Ｃ１］記載の方法。
［Ｃ１２］
前記第１の捕捉パイロットは、送信されたデータで用いられる巡回プレフィクス長を示す、［Ｃ１］記載の方法。
［Ｃ１３］
前記第１の捕捉パイロットは、同期動作が利用されるか、非同期動作が利用されるかどうかを示す、［Ｃ１］記載の方法。
［Ｃ１４］
前記第１の捕捉パイロットは、半二重動作が利用されるかどうかを示す、［Ｃ１］記載の方法。
［Ｃ１５］
前記第１の捕捉パイロットは、周波数再使用がスーパーフレームによって利用されるかどうかを示す、［Ｃ１］記載の方法。
［Ｃ１６］
前記スーパーフレーム・プリアンブルに少なくとも３つのＯＦＤＭシンボルがある、［Ｃ１］記載の方法。
［Ｃ１７］
システム判定情報を伝える第１の捕捉パイロットを生成し、且つ前記第１の捕捉パイロットを送信するように構成された少なくとも１つのプロセッサと、
前記少なくとも１つのプロセッサに結合されるメモリと
を備える、無線通信装置。
［Ｃ１８］
第１の捕捉パイロットはスーパーフレーム・プリアンブル内で伝えられる、［Ｃ１７］記載の無線通信装置。
［Ｃ１９］
前記少なくとも１つのプロセッサは更に、セクタＩＤに依存するシーケンスを備える第２の捕捉パイロットを生成するように構成され、前記第２の捕捉パイロットはスーパーフレーム・プリアンブル内で伝えられる、［Ｃ１７］記載の無線通信装置。
［Ｃ２０］
前記少なくとも１つのプロセッサは更に、巡回プレフィクス及び動作の帯域幅に依存するシーケンスを備える第２の捕捉パイロットを生成するように構成され、前記第２の捕捉パイロットはスーパーフレーム・プリアンブル内で伝えられる、［Ｃ１７］記載の無線通信装置。
［Ｃ２１］
前記少なくとも１つのプロセッサは更に、セクタＩＤに依存するシーケンスを備える第２の捕捉パイロットを生成し、且つ、巡回プレフィクス及び動作の帯域幅に依存するシーケンスを備える第３の捕捉パイロットを生成するように構成され、前記第２の捕捉パイロット及び前記第３の捕捉パイロットはスーパーフレーム・プリアンブル内で伝えられる、［Ｃ１７］記載の無線通信装置。
［Ｃ２２］
前記第１の捕捉パイロットは前記第２の捕捉パイロットのコンテンツによってスクランブルされて、セクタを識別する、［Ｃ２１］の無線通信装置。
［Ｃ２３］
前記第１、第２、及び第３のシーケンスは非連続的なＯＦＤＭシンボルである、［Ｃ２１］記載の無線通信装置。
［Ｃ２４］
前記第１、第２、及び第３のシーケンスは連続的なＯＦＤＭシンボルである、［Ｃ２１］記載の無線通信装置。
［Ｃ２５］
前記第１の捕捉パイロットは直交系列のセットのうちの１つを利用して生成される、［Ｃ１７］記載の無線通信装置。
［Ｃ２６］
前記直交系列のセットはウォルシュコードのセットである、［Ｃ１７］記載の無線通信装置。
［Ｃ２７］
前記捕捉パイロットの中心サブキャリアは、前記捕捉パイロットのほぼ中心のサブキャリアである、［Ｃ１７］記載の無線通信装置。
［Ｃ２８］
前記第１の捕捉パイロットは、送信されたデータで用いられた巡回プレフィクス長を示す、［Ｃ１７］記載の無線通信装置。
［Ｃ２９］
前記第１の捕捉パイロットは、同期動作が利用されるか、非同期動作が利用されるかどうかを示す、［Ｃ１７］記載の無線通信装置。
［Ｃ３０］
前記第１の捕捉パイロットは半二重動作が利用されるかどうかを示す、［Ｃ１７］記載の無線通信装置。
［Ｃ３１］
前記第１の捕捉パイロットは、周波数再使用がスーパーフレームによって利用されるかどうかを示す、［Ｃ１７］記載の無線通信装置。
［Ｃ３２］
前記スーパーフレーム・プリアンブルに少なくとも３つのＯＦＤＭシンボルがある、［Ｃ１７］記載の無線通信装置。
［Ｃ３３］
スーパーフレーム・プリアンブル情報を通信する無線通信装置であって、
システム判定情報を伝える第１の捕捉パイロットを生成する手段と、
前記無線通信システム内の端末へ前記第１の捕捉パイロットを送信する手段とを備え、前記スーパーフレーム・プリアンブルは前記第１の捕捉パイロットを備える、無線通信装置。
［Ｃ３４］
第１の捕捉パイロットはスーパーフレーム・プリアンブル内で伝えられる、［Ｃ３３］記載の無線通信装置。
［Ｃ３５］
セクタＩＤに依存するシーケンスを備える第２の捕捉パイロットを生成する手段と、
巡回プレフィクス及び動作の帯域幅に依存するシーケンスを備える第３の捕捉パイロットを生成する手段と
を更に備え、前記第１、第２及び第３の捕捉パイロットはスーパーフレーム・プリアンブル内で伝えられる、［Ｃ３３］記載の無線通信装置。
［Ｃ３６］
前記第３の捕捉パイロットは前記第２の捕捉パイロットのコンテンツによってスクランブルされて、セクタを識別する、［Ｃ３４］記載の無線通信装置。
［Ｃ３７］
前記第１、第２、及び第３のシーケンスは非連続的なＯＦＤＭシンボルである、［Ｃ３４］記載の無線通信装置。
［Ｃ３８］
前記第１、第２、及び第３のシーケンスは連続的なＯＦＤＭシンボルである、［Ｃ３４］記載の無線通信装置。
［Ｃ３９］
前記第１の捕捉パイロットは直交系列のセットうちの１つを利用して生成される、［Ｃ３３］記載の無線通信装置。
［Ｃ４０］
前記直交系列のセットは、ウォルシュコードのセットである、［Ｃ３９］の無線通信装置。
［Ｃ４１］
前記捕捉パイロットの中心サブキャリアは、前記捕捉パイロットのほぼ中心のサブキャリアである、［Ｃ３３］記載の無線通信装置。
［Ｃ４２］
前記第１の捕捉パイロットは、送信されたデータで用いられた巡回プレフィクス長を示す、［Ｃ３３］記載の無線通信装置。
［Ｃ４３］
前記第１の捕捉パイロットは、同期動作か非同期動作が利用されるかどうかを示す、［Ｃ３３］記載の無線通信装置。
［Ｃ４４］
前記第１の捕捉パイロットは半二重動作が利用されるかどうかを示す、［Ｃ３３］記載の無線通信装置。
［Ｃ４５］
前記第１の捕捉パイロットは、周波数再使用がスーパーフレームによって利用されるかどうかを示す、［Ｃ３３］記載の無線通信装置。
［Ｃ４６］
スーパーフレーム・プリアンブルに少なくとも３つのＯＦＤＭシンボルがある、［Ｃ３３］記載の無線通信装置。
［Ｃ４７］
少なくとも１台のコンピュータに、システム判定情報を伝える第１の捕捉パイロットを生成させるコードと、
前記少なくとも１台のコンピュータに、前記第１の捕捉パイロットを前記無線通信システム内の端末へ伝達させるためのコードと
を含む、コンピュータ読み取り可能な媒体
を備える、コンピュータプログラムプロダクト。
［Ｃ４８］
システム判定情報を伝える第１の捕捉パイロットを生成し、
前記無線通信システム内の端末へ前記第１の捕捉パイロットを送信する
ように構成されたプロセッサと、
前記プロセッサに結合されるメモリと
を備える、無線通信装置。
［Ｃ４９］
無線通信環境において情報を受信する方法であって、
第１の捕捉パイロットを検出し、
前記第１の捕捉パイロットを利用して、システム判定情報を取得する
ことを含む、方法。
［Ｃ５０］
前記第１の捕捉パイロットは、スーパーフレーム・プリアンブル内で伝えられる、［Ｃ４９］記載の方法。
［Ｃ５１］
前記第１の捕捉パイロットはシステム判定情報を含む、［Ｃ４９］記載の方法。
［Ｃ５２］
セクタ仮説を用いて、第２の捕捉パイロットを関連させ、
前記第２の捕捉パイロットに含まれる情報を用いて、前記第１の捕捉パイロットを関連させる
ことを更に含む、［Ｃ４９］記載の方法。
［Ｃ５３］
前記第１の捕捉パイロットを関連させることは、ＦＨＴを用いて関連させることを含む［Ｃ５２］記載の方法。
［Ｃ５４］
前記第１の捕捉パイロットを関連させることは、前記第２の捕捉パイロットから取得される位相オフセット又はＰＮ系列を用いて関連させることを含む、［Ｃ５２］記載の方法。
［Ｃ５５］
前記第１の捕捉パイロットは、前記第２の捕捉パイロットのコンテンツによってスクランブルされて、セクタを識別する、［Ｃ５２］記載の方法。
［Ｃ５６］
第３の捕捉パイロットを検出することを更に備え、前記第３の捕捉パイロットは、前記送信されたデータで用いられた巡回プレフィクス長を示す、［Ｃ５２］記載の方法。
［Ｃ５７］
前記第１、第２、及び第３のシーケンスは非連続的なＯＦＤＭシンボルである、［Ｃ５６］記載の方法。
［Ｃ５８］
前記第１、第２、及び第３のシーケンスは連続的なＯＦＤＭシンボルである、［Ｃ５２］記載の方法。
［Ｃ５９］
前記スーパーフレーム・プリアンブルには少なくとも３つのＯＦＤＭシンボルがある、［Ｃ４９］記載の方法。
［Ｃ６０］
前記第１の捕捉パイロットは、同期動作か非同期動作が利用されるかどうか、半二重動作が利用されるかどうか、周波数再使用がスーパーフレームによって利用されるかどうか、又はこれらの組み合わせのうちの１つを示す、［Ｃ４９］記載の方法。
［Ｃ６１］
第１の捕捉パイロットを検出し、且つ前記第１の捕捉パイロットを利用して、システム判定情報を取得するように構成された少なくとも１つのプロセッサと、
前記少なくとも１つのプロセッサに結合されるメモリと
を備える、無線通信装置。
［Ｃ６２］
前記第１の捕捉パイロットはスーパーフレーム・プリアンブル内で伝えられる、［Ｃ６１］記載の無線通信装置。
［Ｃ６３］
前記第１の捕捉パイロットは、システム判定情報を含む、［Ｃ６１］記載の無線通信装置。
［Ｃ６４］
前記少なくとも１つのプロセッサは、セクタ仮説を用いて、第２の捕捉パイロットを関連させ、且つ、前記第２の捕捉パイロットに含まれる情報を用いて前記第１の捕捉パイロットを関連させるように更に構成される、［Ｃ６１］記載の無線通信装置。
［Ｃ６５］
前記第１の捕捉パイロットを関連させることは、ＦＨＴを用いて関連させることを含む、［Ｃ６４］記載の無線通信装置。
［Ｃ６６］
前記第１の捕捉パイロットを関連させることは、前記第２の捕捉パイロットから取得される位相オフセット又はＰＮ系列を用いて関連させることを含む、［Ｃ６４］記載の無線通信装置。
［Ｃ６７］
前記第１の捕捉パイロットは、前記第２の捕捉パイロットのコンテンツによってスクランブルされて、セクタを識別する、［Ｃ６４］記載の無線通信装置。
［Ｃ６８］
前記少なくとも１つのプロセッサは、第３の捕捉パイロットを検出するように更に構成され、前記第３の捕捉パイロットは、前記送信されたデータで用いられた巡回プレフィクス長を示す、［Ｃ６４］記載の無線通信装置。
［Ｃ６９］
前記第１、第２、及び第３のシーケンスは非連続的なＯＦＤＭシンボルである、［Ｃ６８］記載の無線通信装置。
［Ｃ７０］
前記第１、第２、及び第３のシーケンスは連続的なＯＦＤＭシンボルである、［Ｃ６８］記載の無線通信装置。
［Ｃ７１］
前記スーパーフレーム・プリアンブルには少なくとも３つのＯＦＤＭシンボルがある、［Ｃ６１］記載の無線通信装置。
［Ｃ７２］
前記第１の捕捉パイロットは、同期動作か非同期動作が利用されるかどうか、半二重動作が利用されるかどうか、周波数再使用がスーパーフレームによって利用されるかどうか、又はこれらの組み合わせのうちの１つを示す、［Ｃ６１］記載の無線通信装置。
［Ｃ７３］
スーパーフレーム・プリアンブル情報を受信する無線通信装置であって、
第１の捕捉パイロットを検出する手段と、
前記第１の捕捉パイロットを利用して、システム判定情報を取得する手段と
を備える、無線通信装置。
［Ｃ７４］
第１の捕捉パイロットはスーパーフレーム・プリアンブル内で伝えられる、［Ｃ７３］記載の無線通信装置。
［Ｃ７５］
前記第１の捕捉パイロットは、システム判定情報を含む、［Ｃ７３］記載の無線通信装置。
［Ｃ７６］
セクタ仮説を用いて、第２の捕捉パイロットを関連させる手段と、
前記第２の捕捉パイロットに含まれる情報を用いて、前記第１の捕捉パイロットを関連させる手段と
を更に備える、［Ｃ７３］記載の無線通信装置。
［Ｃ７７］
前記第１の捕捉パイロットを関連させることは、ＦＨＴを用いて関連させることを含む、［Ｃ７６］記載の無線通信装置。
［Ｃ７８］
前記第１の捕捉パイロットを関連させることは、前記第２の捕捉パイロットから取得される位相オフセット又はＰＮ系列を用いて関連させることを含む、［Ｃ７６］記載の無線通信装置。
［Ｃ７９］
前記第１の捕捉パイロットは、前記第２の捕捉パイロットのコンテンツによってスクランブルされて、セクタを識別する、［Ｃ７６］記載の無線通信装置。
［Ｃ８０］
第３の捕捉パイロットを検出することを更に含み、前記第３の捕捉パイロットは、前記送信されたデータで用いられる巡回プレフィクス長を示す、［Ｃ７６］記載の無線通信装置。
［Ｃ８１］
前記第１、第２、及び第３のシーケンスは非連続的なＯＦＤＭシンボルである、［Ｃ８０］記載の無線通信装置。
［Ｃ８２］
前記第１、第２、及び第３のシーケンスは連続的なＯＦＤＭシンボルである、［Ｃ８０］記載の無線通信装置。
［Ｃ８３］
前記スーパーフレーム・プリアンブルには少なくとも３つのＯＦＤＭシンボルがある、［Ｃ７３］記載の無線通信装置。
［Ｃ８４］
前記第１の捕捉パイロットは、同期動作か非同期動作が利用されるかどうか、半二重動作が利用されるかどうか、周波数再使用がスーパーフレームによって利用されるかどうか、又はこれらの組み合わせのうちの１つを示す、［Ｃ７３］記載の無線通信装置。
［Ｃ８５］
少なくとも１台のコンピュータに、第１の捕捉パイロットを発見させるコードと、
前記少なくとも１台のコンピュータに、前記第１の捕捉パイロットを用いてシステム判定情報を取得させるコードとを含み、前記第１の捕捉パイロットは、同期動作か非同期動作が利用されるかどうか、半二重動作が利用されるかどうか、周波数再使用がスーパーフレームによって利用されるかどうか、又はこれらの組合せのうちの１つを示す、
コンピュータ読み取り可能な媒体を備える、
コンピュータプログラムプロダクト。
［Ｃ８６］
システム判定情報を含む第１の捕捉パイロットを検出し、
前記第１の捕捉パイロットに含まれる前記システム情報を解釈する
ように構成されたプロセッサと、
前記プロセッサに結合されるメモリと
を備える、無線通信装置。
【図１】
0005456847.tif 000002
【図２】
0005456847.tif 000003
【図３】
0005456847.tif 000004
【図４】
0005456847.tif 000005
【図５】
0005456847.tif 000006
【図６】
0005456847.tif 000007
【図７】
0005456847.tif 000008
【図８】
0005456847.tif 000009
【図９】
0005456847.tif 000010
【図１０】
0005456847.tif 000011